(57)【要約】【課題】  １以上の参加者によって入力される参加者情報を区別して表示すること。【解決手段】  複数の電子端末それぞれは、発表モードと参加モードとのいずれかに切り換える装置モード切換部７１と、ユーザーにより入力される情報を受け付ける情報受付部２１と、を備え、参加モードの参加装置は、参加者により指定された指定ページの画像を表示する指定ページ表示部３３と、指定ページのページ識別情報と参加者により入力される参加者情報とを関連付けた参照情報を生成する参照情報生成部３９と、を備え、複数の電子端末それぞれは、さらに、１以上の参加装置により生成された１以上の参照情報にそれぞれ含まれる１以上の参加者情報を表示する参加者情報表示部５５と、１以上の参加者情報の１以上の参照識別情報を表示する参照識別情報表示部５７と、を備える。【選択図】        図４
2016200868.tif 000002
【特許請求の範囲】
【請求項１】
複数の電子端末を含む会議システムであって、
前記複数の電子端末それぞれは、
発表モードと、参加モードとのいずれかに装置モードを切り換える装置モード切換手段と、
ユーザーにより入力される情報を受け付ける情報受付手段と、を備え、
前記複数の電子端末のうち前記装置モードが参加モードに切り換えられた参加装置は、前記複数の電子端末からアクセス可能に設定された発表データに含まれる複数ページのうち当該参加装置を操作する参加者により指定された指定ページの画像を表示する指定ページ表示手段と、
前記指定ページの画像が表示されている間に前記情報受付手段により当該参加装置を操作する参加者により入力される参加者情報が受け付けられることに応じて、前記指定ページを識別するためのページ識別情報と前記受け付けられた参加者情報とを関連付けた参照情報を生成する参照情報生成手段と、を備え、
前記複数の電子端末それぞれは、さらに、前記複数の電子端末のうち前記装置モードが参加モードに切り換えられた１以上の参加装置により生成された１以上の参照情報にそれぞれ含まれる１以上の参加者情報を表示する参加者情報表示手段と、
前記１以上の参加者情報をそれぞれ識別するための１以上の参照識別情報を表示する参照識別情報表示手段と、を備えた会議システム。
【請求項２】
発表モードと、参加モードとのいずれかに装置モードを切り換える装置モード切換手段と、
ユーザーにより入力される情報を受け付ける情報受付手段と、
前記参加モードにおいて、他の１以上の電子端末との間で共有可能に設定された発表データに含まれる複数ページのうちユーザーにより指定された指定ページの画像を表示する指定ページ表示手段と、
前記参加モードにおいて、前記指定ページの画像が表示されている間に前記情報受付手段によりユーザーにより入力される参加者情報が受け付けられることに応じて、前記指定ページを識別するためのページ識別情報と前記受け付けられた参加者情報とを関連付けた参照情報を生成する参照情報生成手段と、
前記他の１以上の電子端末のうち前記装置モードが参加モードに切り換えられた１以上の参加装置それぞれにより生成された参照情報に含まれる参加者情報を表示する参加者情報表示手段と、
前記１以上の参加者情報をそれぞれ識別するための１以上の参照識別情報を表示する参照識別情報表示手段と、を備えた電子端末。
【請求項３】
前記参照識別情報は、それに対応する前記参加者情報を入力した参加者を識別するためのユーザー識別情報である、請求項２に記載の電子端末。
【請求項４】
前記参照情報生成手段は、前記指定ページの画像中で前記参加者情報が表示される位置を、さらに関連付けた参照情報を生成し、
前記参加者情報表示手段は、前記１以上の参加装置によりそれぞれ生成された１以上の参照情報に基づいて、１以上の参照画像を並べて表示し、
前記参照画像は、それが対応する前記参照情報に基づいて生成され、前記対応する参照情報に含まれるページ識別情報で特定されるページの画像うち前記対応する参照情報に含まれる位置で特定される領域の画像に前記参照情報に含まれる参加者情報を重畳した画像である、請求項２または３に記載の電子端末。
【請求項５】
前記参加者情報表示手段により表示された１以上の参加者情報うちから１つが選択されることに応じて、前記選択された参加者情報が含まれる前記参照情報に含まれるページ識別情報で特定されるページの画像に、前記参照情報に含まれる位置で特定される領域で前記参照情報に含まれる参加者情報を重畳した画像を表示する再現表示手段を、さらに備えた、請求項２〜４のいずれかに記載の電子端末。
【請求項６】
前記参照情報生成手段は、前記指定ページの画像中で前記参加者情報が表示される位置を、さらに関連付けた参照情報を生成し、
前記発表データに含まれる複数ページのうちユーザーにより選択されたページの画像に、前記１以上の参加装置によりそれぞれ生成された１以上の参照情報のうち前記選択されたページのページ識別情報を含む１以上の参照情報それぞれに含まれる前記参加者情報を、それに対応する前記参照情報に含まれる位置で重畳した画像を表示するページ単位表示手段を、さらに備えた、請求項２または３に記載の電子端末。
【請求項７】
前記参加者情報表示手段は、前記１以上の参加装置によりそれぞれ生成された１以上の参照情報のうち前記選択されたページのページ識別情報を含む１以上の参照情報にそれぞれ対応する１以上の参照画像を並べて配置した画像を表示し、
前記参照画像は、それが対応する前記参照情報に基づいて生成され、前記対応する参照情報に含まれるページ識別情報で特定されるページの画像うち前記対応する参照情報に含まれる位置で特定される領域の画像に前記参照情報に含まれる参加者情報を重畳した画像である、請求項６に記載の電子端末。
【請求項８】
前記ページ単位表示手段は、前記１以上の参照識別情報のいずれかが指示されることに応じて、前記指示された参照識別情報に対応する参加者情報の表示態様、または当該参加者情報以外の全ての参加者情報の表示態様を、他の全ての参加者情報の表示態様と異ならせる、請求項６または７に記載の電子端末。
【請求項９】
前記発表モードにおいて、前記発表ページ表示手段によって前記発表ページの画像が表示されている状態で、前記１以上の参加装置のいずれかによって前記発表ページと同じページの参照情報が生成される場合、前記発表ページの画像に、前記参照情報に含まれる位置で特定される領域で前記参照情報に含まれる参加者情報を重畳した画像を表示するリアルタイム表示手段を、備えた請求項２〜８のいずれかに記載の電子端末。
【請求項１０】
前記発表モードにおいて、前記参加者情報表示手段により表示された１以上の参加者情報うちから１つが選択される場合、前記選択された参加者情報が含まれる前記参照情報を生成した参加装置に装置モードを発表モードへの切り換えを指示する発表モード切換指示手段を、さらに備え、
前記装置モード切換手段は、前記発表モード切換指示手段によって装置モードを発表モードへの切り換えが指示されることに応じて、装置モードを参加モードに切り換える、請求項２〜９のいずれかに記載の電子端末。
【請求項１１】
前記発表モードにおいて、前記発表モード切換指示手段によって装置モードを発表モードへの切り換えが指示された後に、前記発表モードへの切換を指示した参加装置に装置モードを参加モードへの切り換えを指示する参加モード切換指示手段を、さらに備え、
前記装置モード切換手段は、前記参加モード切換指示手段によって装置モードを参加モードへの切り換えが指示されることに応じて、装置モードを発表モードに切り換える、請求項１０に記載の電子端末。
【請求項１２】
前記発表モード切換指示手段は、さらに、前記参加者情報表示手段により表示された１以上の参加者情報うちから１つが選択されることに応じて、前記選択された参加者情報が含まれる前記参照情報を生成した参加装置に装置モードを所定の時間の間のみ発表モードへの切り換えを指示し、
前記装置モード切換手段は、前記発表モード切換指示手段によって装置モードを発表モードへの切り換えが指示された後、前記所定の時間が経過すると、装置モードを発表モードに切り換える、請求項１０または１１に記載の電子端末。
【請求項１３】
発表モードと、参加モードとのいずれかに装置モードを切り換える装置モード切換ステップと、
ユーザーにより入力される情報を受け付ける情報受付ステップと、
前記参加モードにおいて、他の１以上の電子端末との間で共有可能に設定された発表データに含まれる複数ページのうちユーザーにより指定された指定ページの画像を表示する指定ページ表示ステップと、
前記参加モードにおいて、前記指定ページの画像が表示されている間に前記情報受付ステップにおいてユーザーにより入力される参加者情報が受け付けられることに応じて、前記指定ページを識別するためのページ識別情報と前記受け付けられた参加者情報とを関連付けた参照情報を生成する参照情報生成ステップと、
前記他の１以上の電子端末のうち前記装置モードが参加モードに切り換えられた１以上の参加装置それぞれにより生成された参照情報に含まれる参加者情報を表示する参加者情報表示ステップと、
前記１以上の参加者情報をそれぞれ識別するための１以上の参照識別情報を表示する参照識別情報表示ステップと、を電子端末に実行させる表示制御方法。
【請求項１４】
発表モードと、参加モードとのいずれかに装置モードを切り換える装置モード切換ステップと、
ユーザーにより入力される情報を受け付ける情報受付ステップと、
前記参加モードにおいて、他の１以上の電子端末との間で共有可能に設定された発表データに含まれる複数ページのうちユーザーにより指定された指定ページの画像を表示する指定ページ表示ステップと、
前記参加モードにおいて、前記指定ページの画像が表示されている間に前記情報受付ステップにおいてユーザーにより入力される参加者情報が受け付けられることに応じて、前記指定ページを識別するためのページ識別情報と前記受け付けられた参加者情報とを関連付けた参照情報を生成する参照情報生成ステップと、
前記他の１以上の電子端末のうち前記装置モードが参加モードに切り換えられた１以上の参加装置それぞれにより生成された参照情報に含まれる参加者情報を表示する参加者情報表示ステップと、
前記１以上の参加者情報をそれぞれ識別するための１以上の参照識別情報を表示する参照識別情報表示ステップと、を電子端末を制御するコンピューターに実行させる表示制御プログラム。
【発明の詳細な説明】
【技術分野】
【０００１】
この発明は、会議システム、電子端末、表示制御方法および表示制御プログラムに関し、特に、複数の電子端末で同一の資料の画像を表示する会議システム、その電子端末、その電子端末で実行される表示制御方法および表示制御プログラムに関する。
【背景技術】
【０００２】
会議等において、発表用の資料として準備されたデータを参加者全員がそれぞれ携帯する携帯情報装置などの電子端末に表示する会議システムが知られている。例えば、特開２０１４−０９８９７２号公報には、画像表示装置と、１以上の電子端末とを有する電子会議システムであって、前記電子端末は、前記画像表示装置で表示された複数の画像を、当該複数の画像に対するユーザの操作を示す操作情報と関連付けて記録媒体に記録する画像・操作記録手段を備え、前記画像表示装置は、前記電子端末と通信して、前記画像・操作記録手段により前記記録媒体に記録された複数の画像と、当該複数の画像に関連付けられた操作情報とに基づいて表示画像を生成する画像生成手段を備えることを特徴とする電子会議システムが記載されている。
【０００３】
しかしながら、特開２０１４−０９８９７２号公報に記載の電子会議システムにおいては、複数の画像と、複数の画像各々に関連付けられた操作情報とから生成された表示画像を表示するが、操作情報は、複数の電子端末を区別することなく表示される。会議に参加するユーザーは、資料を説明する発表者と、説明を受ける参加者とが存在するが、発表者が資料の説明のために入力する情報と、参加者が質問するために入力する情報とを区別することができない。このため、会議に参加するユーザーが入力する情報が見づらくなるといった問題がある。
【特許文献１】特開２０１４−０９８９７２号公報
【発明の概要】
【発明が解決しようとする課題】
【０００４】
この発明は上述した問題点を解決するためになされたもので、この発明の目的の一つは、１以上の参加者によって入力される参加者情報を区別して表示することが可能な会議システムを提供することである。
【０００５】
この発明の他の目的は、１以上の参加者によって入力される参加者情報を区別して表示することが可能な電子端末を提供することである。
【０００６】
この発明のさらに他の目的は、１以上の参加者によって入力される参加者情報を区別して表示することが可能な表示制御方法を提供することである。
【０００７】
この発明のさらに他の目的は、１以上の参加者によって入力される参加者情報を区別して表示することが可能な表示制御プログラムを提供することである。
【課題を解決するための手段】
【０００８】
上述した目的を達成するためにこの発明のある局面によれば、会議システムは、複数の電子端末を含む会議システムであって、複数の電子端末それぞれは、発表モードと、参加モードとのいずれかに装置モードを切り換える装置モード切換手段と、ユーザーにより入力される情報を受け付ける情報受付手段と、を備え、複数の電子端末のうち装置モードが参加モードに切り換えられた参加装置は、複数の電子端末からアクセス可能に設定された発表データに含まれる複数ページのうち当該参加装置を操作する参加者により指定された指定ページの画像を表示する指定ページ表示手段と、指定ページの画像が表示されている間に情報受付手段により当該参加装置を操作する参加者により入力される参加者情報が受け付けられることに応じて、指定ページを識別するためのページ識別情報と受け付けられた参加者情報とを関連付けた参照情報を生成する参照情報生成手段と、を備え、複数の電子端末それぞれは、さらに、複数の電子端末のうち装置モードが参加モードに切り換えられた１以上の参加装置により生成された１以上の参照情報にそれぞれ含まれる１以上の参加者情報を表示する参加者情報表示手段と、１以上の参加者情報をそれぞれ識別するための１以上の参照識別情報を表示する参照識別情報表示手段と、を備える。
【０００９】
この局面に従えば、複数の電子端末それぞれにおいて、１以上の参加装置により生成された１以上の参照情報にそれぞれ含まれる１以上の参加者情報が表示され、１以上の参加者情報をそれぞれ識別するための１以上の参照識別情報が表示される。このため、１以上の参加者によって入力される参加者情報を区別して表示することが可能な会議システムを提供することができる。
【００１０】
この発明の他の局面によれば、電子端末は、  発表モードと、参加モードとのいずれかに装置モードを切り換える装置モード切換手段と、ユーザーにより入力される情報を受け付ける情報受付手段と、参加モードにおいて、他の１以上の電子端末との間で共有可能に設定された発表データに含まれる複数ページのうちユーザーにより指定された指定ページの画像を表示する指定ページ表示手段と、参加モードにおいて、指定ページの画像が表示されている間に情報受付手段によりユーザーにより入力される参加者情報が受け付けられることに応じて、指定ページを識別するためのページ識別情報と受け付けられた参加者情報とを関連付けた参照情報を生成する参照情報生成手段と、他の１以上の電子端末のうち装置モードが参加モードに切り換えられた１以上の参加装置それぞれにより生成された参照情報に含まれる参加者情報を表示する参加者情報表示手段と、１以上の参加者情報をそれぞれ識別するための１以上の参照識別情報を表示する参照識別情報表示手段と、を備える。
【００１１】
この局面に従えば、他の１以上の参加装置により生成された１以上の参照情報にそれぞれ含まれる１以上の参加者情報が表示され、１以上の参加者情報をそれぞれ識別するための１以上の参照識別情報が表示される。このため、１以上の参加者によって入力される参加者情報を区別して表示することが可能な電子端末を提供することができる。
【００１２】
好ましくは、参照識別情報は、それに対応する参加者情報を入力した参加者を識別するためのユーザー識別情報である。
【００１３】
この局面に従えば、１以上の参加者情報をそれぞれ識別するための１以上のユーザー識別情報が表示されるので、参加者情報を入力した参加者をユーザーに通知することができる。
【００１４】
好ましくは、参照情報生成手段は、指定ページの画像中で参加者情報が表示される位置を、さらに関連付けた参照情報を生成し、参加者情報表示手段は、１以上の参加装置によりそれぞれ生成された１以上の参照情報に基づいて、１以上の参照画像を並べて表示し、参照画像は、それが対応する参照情報に基づいて生成され、対応する参照情報に含まれるページ識別情報で特定されるページの画像うち対応する参照情報に含まれる位置で特定される領域の画像に参照情報に含まれる参加者情報を重畳した画像である。
【００１５】
この局面に従えば、参照情報に含まれるページ識別情報で特定されるページの画像うち参照情報に含まれる位置で特定される領域の画像に参照情報に含まれる参加者情報を重畳した参照画像が並べて表示されるので、参加者情報が配置されるページ中の位置を明確にしつつ１以上の参加者情報を表示するスペースを小さくすることができる。
【００１６】
好ましくは、参加者情報表示手段により表示された１以上の参加者情報うちから１つが選択されることに応じて、選択された参加者情報が含まれる参照情報に含まれるページ識別情報で特定されるページの画像に、参照情報に含まれる位置で特定される領域で参照情報に含まれる参加者情報を重畳した画像を表示する再現表示手段を、さらに備える。
【００１７】
この局面に従えば、１以上の参加者情報それぞれが配置されるページ中の位置を明確にすることができる。
【００１８】
好ましくは、参照情報生成手段は、指定ページの画像中で参加者情報が表示される位置を、さらに関連付けた参照情報を生成し、発表データに含まれる複数ページのうちユーザーにより選択されたページの画像に、１以上の参加装置によりそれぞれ生成された１以上の参照情報のうち選択されたページのページ識別情報を含む１以上の参照情報それぞれに含まれる参加者情報を、それに対応する参照情報に含まれる位置で重畳した画像を表示するページ単位表示手段を、さらに備える。
【００１９】
この局面に従えば、ページごとに参加者情報を表示することができる。
【００２０】
好ましくは、参加者情報表示手段は、１以上の参加装置によりそれぞれ生成された１以上の参照情報のうち選択されたページのページ識別情報を含む１以上の参照情報にそれぞれ対応する１以上の参照画像を並べて配置した画像を表示し、参照画像は、それが対応する参照情報に基づいて生成され、対応する参照情報に含まれるページ識別情報で特定されるページの画像うち対応する参照情報に含まれる位置で特定される領域の画像に参照情報に含まれる参加者情報を重畳した画像である。
【００２１】
この局面に従えば、ページごとに、そのページの画像うち参照情報に含まれる位置で特定される領域の画像に参照情報に含まれる参加者情報を重畳した参照画像が並べて表示されるので、参加者情報が配置されるページ中の位置を明確にしつつ１以上の参加者情報を表示するスペースを小さくすることができる。
【００２２】
好ましくは、ページ単位表示手段は、１以上の参照識別情報のいずれかが指示されることに応じて、指示された参照識別情報に対応する参加者情報の表示態様、または当該参加者情報以外の全ての参加者情報の表示態様を、他の全ての参加者情報の表示態様と異ならせる。
【００２３】
この局面に従えば、ページの画像に重畳して表示された１以上の参加者情報のうちか指示された参照識別情報に対応する参加者情報の表示態様が他の参加者情報の表示態様と異なるので、参照識別情報に対応する参加者情報をユーザーに示すことができる。
【００２４】
好ましくは、発表モードにおいて、発表ページ表示手段によって発表ページの画像が表示されている状態で、１以上の参加装置のいずれかによって発表ページと同じページの参照情報が生成される場合、発表ページの画像に、参照情報に含まれる位置で特定される領域で参照情報に含まれる参加者情報を重畳した画像を表示するリアルタイム表示手段を、備える。
【００２５】
この局面に従えば、発表ページの画像が表示されている状態で、１以上の参加装置のいずれかによって発表ページと同じページの参照情報が生成される場合、発表ページの画像に、参照情報に含まれる位置で特定される領域で参照情報に含まれる参加者情報を重畳した画像が表示される。このため、参加者情報を直ちに表示することができる。
【００２６】
好ましくは、発表モードにおいて、参加者情報表示手段により表示された１以上の参加者情報うちから１つが選択される場合、選択された参加者情報が含まれる参照情報を生成した参加装置に装置モードを発表モードへの切り換えを指示する発表モード切換指示手段を、さらに備え、装置モード切換手段は、発表モード切換指示手段によって装置モードを発表モードへの切り換えが指示されることに応じて、装置モードを参加モードに切り換える。
【００２７】
この局面に従えば、１以上の参加者情報うちから１つが選択される場合、選択された参加者情報が含まれる参照情報を生成した参加装置に装置モードを発表モードへの切り換えを指示する。このため、１以上の参加装置のうちユーザーにより選択された参加者情報が入力された装置を発表モードに切り換えさせることができる。
【００２８】
好ましくは、発表モードにおいて、発表モード切換指示手段によって装置モードを発表モードへの切り換えが指示された後に、発表モードへの切換を指示した参加装置に装置モードを参加モードへの切り換えを指示する参加モード切換指示手段を、さらに備え、装置モード切換手段は、参加モード切換指示手段によって装置モードを参加モードへの切り換えが指示されることに応じて、装置モードを発表モードに切り換える。
【００２９】
この局面に従えば、１以上の参加装置のうちユーザーにより選択された参加者情報が入力された装置を発表モードに切り換えさせた後に、装置モードを参加モードへ切り換えさせるので、自装置を発表モードに切り換えることができる。
【００３０】
好ましくは、発表モード切換指示手段は、さらに、参加者情報表示手段により表示された１以上の参加者情報うちから１つが選択されることに応じて、選択された参加者情報が含まれる参照情報を生成した参加装置に装置モードを所定の時間の間のみ発表モードへの切り換えを指示し、装置モード切換手段は、発表モード切換指示手段によって装置モードを発表モードへの切り換えが指示された後、所定の時間が経過すると、装置モードを発表モードに切り換える。
【００３１】
この局面に従えば、１以上の参加装置のうちユーザーにより選択された参加者情報が入力された装置を所定の時間に限定して発表モードに切り換えさせることができる。
【００３２】
この発明の他の局面に従えば、表示制御方法は、発表モードと、参加モードとのいずれかに装置モードを切り換える装置モード切換ステップと、ユーザーにより入力される情報を受け付ける情報受付ステップと、参加モードにおいて、他の１以上の電子端末との間で共有可能に設定された発表データに含まれる複数ページのうちユーザーにより指定された指定ページの画像を表示する指定ページ表示ステップと、参加モードにおいて、指定ページの画像が表示されている間に情報受付ステップにおいてユーザーにより入力される参加者情報が受け付けられることに応じて、指定ページを識別するためのページ識別情報と受け付けられた参加者情報とを関連付けた参照情報を生成する参照情報生成ステップと、他の１以上の電子端末のうち装置モードが参加モードに切り換えられた１以上の参加装置それぞれにより生成された参照情報に含まれる参加者情報を表示する参加者情報表示ステップと、１以上の参加者情報をそれぞれ識別するための１以上の参照識別情報を表示する参照識別情報表示ステップと、を電子端末に実行させる。
【００３３】
この局面に従えば、１以上の参加者によって入力される参加者情報を区別して表示することが可能な表示制御方法を提供することができる。
【００３４】
この発明の他の局面に従えば、表示制御プログラムは、発表モードと、参加モードとのいずれかに装置モードを切り換える装置モード切換ステップと、ユーザーにより入力される情報を受け付ける情報受付ステップと、参加モードにおいて、他の１以上の電子端末との間で共有可能に設定された発表データに含まれる複数ページのうちユーザーにより指定された指定ページの画像を表示する指定ページ表示ステップと、参加モードにおいて、指定ページの画像が表示されている間に情報受付ステップにおいてユーザーにより入力される参加者情報が受け付けられることに応じて、指定ページを識別するためのページ識別情報と受け付けられた参加者情報とを関連付けた参照情報を生成する参照情報生成ステップと、他の１以上の電子端末のうち装置モードが参加モードに切り換えられた１以上の参加装置それぞれにより生成された参照情報に含まれる参加者情報を表示する参加者情報表示ステップと、１以上の参加者情報をそれぞれ識別するための１以上の参照識別情報を表示する参照識別情報表示ステップと、を電子端末を制御するコンピューターに実行させる。
【００３５】
この局面に従えば、１以上の参加者によって入力される参加者情報を区別して表示することが可能な表示制御プログラムを提供することができる。
【図面の簡単な説明】
【００３６】
【図１】本発明の実施の形態の１つにおける会議システムの全体概要の一例を示す図である。
【図２】本実施の形態における携帯情報装置のハードウェア構成の概要の一例を示すブロック図である。
【図３】本実施の形態におけるサーバーのハードウェア構成の一例を示すブロック図である。
【図４】携帯情報装置が備えるＣＰＵの機能の一例を示すブロック図である。
【図５】サーバーが備えるＣＰＵの機能の一例を示すブロック図である。
【図６】初期画面の一例を示す第１の図である。
【図７】初期画面の一例を示す第２の図である。
【図８】初期画面の一例を示す第３の図である。
【図９】第１の参加者情報表示画面の一例を示す図である。
【図１０】再現画面の一例を示す図である。
【図１１】通知画面の一例を示す図である。
【図１２】第２の参加者情報表示画面の一例を示す図である。
【図１３】変形例における第２の参加者情報表示画面の一例を示す図である。
【図１４】モード切換処理の流れの一例を示すフローチャートである。
【図１５】参照情報表示処理の流れの一例を示す第１のフローチャートである。
【図１６】参照情報表示処理の流れの一例を示す第２のフローチャートである。
【図１７】発表モード表示処理の流れの一例を示すフローチャートである。
【図１８】参加モード表示処理の流れの一例を示すフローチャートである。
【発明を実施するための形態】
【００３７】
以下、本発明の実施の形態について図面を参照して説明する。以下の説明では同一の部品には同一の符号を付してある。それらの名称および機能も同じである。したがってそれらについての詳細な説明は繰返さない。
【００３８】
図１は、本発明の実施の形態の１つにおける会議システムの全体概要の一例を示す図である。図１を参照して、会議システム１は、サーバー３００と、携帯情報装置２００，２００Ａ〜２００Ｄと、を含む。
【００３９】
サーバー３００および携帯情報装置２００，２００Ａは、拠点Ａに配置され、携帯情報装置２００Ｂ，２００Ｃ，２００Ｄは、拠点Ａと地理的に離れた拠点Ｂに配置される。拠点Ａと拠点Ｂとの間の距離は、限定するものではない。
【００４０】
拠点Ａに配設されたネットワーク２に、サーバー３００および無線局３が接続されている。携帯情報装置２００，２００Ａは、無線局３と通信することにより、ネットワーク２に接続可能である。拠点Ｂに配設されたネットワーク２Ａに、無線局３Ａが接続されており、携帯情報装置２００Ｂ，２００Ｃ、２００Ｄは、無線局３Ａと通信することにより、ネットワーク２Ａに接続可能である。ネットワーク２，２Ａそれぞれは、インターネット５に接続される。このため、サーバー３００，携帯情報装置２００，２００Ａ〜２００Ｄは、互いに通信可能である。
【００４１】
ネットワーク２，２Ａは、ローカルエリアネットワーク（ＬＡＮ）であり、接続形態は有線または無線を問わない。また、ネットワーク２，２Ａは、ＬＡＮに限らず、ワイドエリアネットワーク（ＷＡＮ）、公衆交換電話網（ＰＳＴＮ）、インターネット等であってもよい。
【００４２】
携帯情報装置２００，２００Ａ〜２００Ｄは、スマートフォン、タブレット端末、ＰＤＡ（Ｐｅｒｓｏｎａｌ  Ｄｉｇｉｔａｌ  Ａｓｓｉｓｔａｎｔｓ）など、ユーザーが携帯して使用するコンピューターである。携帯情報装置２００，２００Ａ〜２００Ｄのハードウェア構成および機能は同じなので、ここでは特に言及しない限り携帯情報装置２００を例に説明する。また、携帯情報装置２００と同様の機能を備えていれば、パーソナルコンピューターであってもよい。
【００４３】
図２は、本実施の形態における携帯情報装置のハードウェア構成の概要の一例を示すブロック図である。図２を参照して、本実施の形態における携帯情報装置２００は、携帯情報装置２００の全体を制御するための中央演算装置（以下「ＣＰＵ」という）２０１と、ＣＰＵ２０１が実行するプログラム等を記憶するＲＯＭ（Ｒｅａｄ  Ｏｎｌｙ  Ｍｅｍｏｒｙ）２０２と、ＣＰＵ２０１の作業領域として使用されるＲＡＭ（Ｒａｎｄｏｍ  Ａｃｃｅｓｓ  Ｍｅｍｏｒｙ）２０３と、データを不揮発的に記憶するフラッシュメモリ２０４と、情報を表示する表示部２０５と、ユーザーの操作を受け付ける操作部２０６と、無線ＬＡＮＩ／Ｆ２０７と、外部記憶装置２０８と、を含む。
【００４４】
フラッシュメモリ２０４は、ＣＰＵ２０１が実行するプログラム、またはそのプログラムを実行するために必要なデータを記憶する。ＣＰＵ２０１は、フラッシュメモリ２０４に記録されたプログラムを、ＲＡＭ２０３にロードして実行する。
【００４５】
表示部２０５は、液晶表示装置（ＬＣＤ）、有機ＥＬＤ等である。操作部２０６は、メインキー２０６Ａと、タッチパネル２０６Ｂとを備える。タッチパネル２０６Ｂは、表示部２０５の上面または下面に表示部２０５に重畳して設けられる。メインキー２０６Ａは、例えば接点スイッチで構成されるハードキーである。タッチパネル２０６Ｂは、表示部２０５の表示面中でユーザーにより指示された位置を検出する。また、ユーザーが、表示部２０５の表示面を指示する場合、操作部２０６は、タッチパネル２０６Ｂにより検出される表示面の位置をＣＰＵ２０１に出力する。ＣＰＵ２０１は、タッチパネル２０６Ｂによる検出された位置に基づいて、表示部２０５に表示されている画面中でユーザーにより指示された位置を検出する。ＣＰＵ２０１は、表示部２０５に表示されている画面と、タッチパネル２０６Ｂによる検出された位置とに基づいて、ユーザーの操作による各種の指示、文字、数字などのデータの入力を受け付ける。例えば、表示部２０５にテンキーの画像を含む画面を表示する場合には、タッチパネル２０６Ｂによる検出された位置に表示されたキーに対応する数字を受け付ける。
【００４６】
無線ＬＡＮＩ／Ｆ２０７は、無線局３と通信し、携帯情報装置２００をネットワーク２に接続するためのインターフェースである。携帯情報装置２００に、サーバー３００のＩＰ（Ｉｎｔｅｒｎｅｔ  Ｐｒｏｔｏｃｏｌ）アドレスを登録しておくことにより、携帯情報装置２００は、サーバー３００と通信することができ、データの送受信が可能となる。なお、本実施の形態においては、携帯情報装置２００が無線ＬＡＮＩ／Ｆ２０７を用いて、サーバー３００と通信する場合を例に説明するが、他の通信方法を用いて通信するようにしてもよい。具体的には、携帯情報装置２００、サーバー３００が、例えばＢｌｕｅｔｏｏｔｈ（登録商標）等の近距離無線装置を搭載する場合には、携帯情報装置２００が、サーバー３００と、１対１で通信するようにしてもよい。
【００４７】
外部記憶装置２０８は、携帯情報装置２００に着脱自在であり、表示制御プログラムを記憶したＣＤ−ＲＯＭ２０８Ａが装着可能である。ＣＰＵ２０１は、外部記憶装置２０８を介してＣＤ−ＲＯＭ２０８Ａにアクセス可能である。ＣＰＵ２０１は、外部記憶装置２０８に装着されたＣＤ−ＲＯＭ２０８Ａに記録された表示制御プログラムを、ＲＡＭ２０３にロードして実行することが可能である。
【００４８】
なお、ＣＰＵ２０１が実行するプログラムとして、ＲＯＭ２０２、フラッシュメモリ２０４またはＣＤ−ＲＯＭ２１０Ａに記録されたプログラムについて説明したが、ネットワーク２またはインターネット５に接続された他のコンピューターが、フラッシュメモリ２０４に記憶されたプログラムを書換えたプログラム、または、追加して書き込んだ新たなプログラムであってもよい。さらに、携帯情報装置２００が、ネットワーク２またはインターネット５に接続された他のコンピューターからダウンロードしたプログラムでもよい。ここでいうプログラムは、ＣＰＵ２０１が直接実行可能なプログラムだけでなく、ソースプログラム、圧縮処理されたプログラム、暗号化されたプログラム等を含む。
【００４９】
なお、ＣＰＵ２０１が実行するプログラムを記憶する媒体としては、ＣＤ−ＲＯＭ２０８Ａに限られず、光ディスク（ＭＯ（Ｍａｇｎｅｔｉｃ  Ｏｐｔｉｃａｌ  ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００５０】
図３は、本実施の形態におけるサーバーのハードウェア構成の一例を示すブロック図である。図３を参照して、サーバー３００は、サーバー３００の全体を制御するためのＣＰＵ３０１と、ＣＰＵ３０１が実行するためのプログラムを記憶するＲＯＭ３０２と、ＣＰＵ３０１の作業領域として使用されるＲＡＭ３０３と、データを不揮発的に記憶するＨＤＤ３０４と、ＣＰＵ３０１をネットワーク２に接続する通信部３０５と、情報を表示する表示部３０６と、ユーザーの操作の入力を受け付ける操作部３０７と、外部記憶装置３０８と、を含む。
【００５１】
ＣＰＵ３０１は、ＲＯＭ３０２またはＨＤＤ３０４に記憶されたプログラムをＲＡＭ３０２にロードして実行する。外部記憶装置３０８は、プログラムを記憶したＣＤ−ＲＯＭ３０９が装着可能である。ＣＰＵ３０１は、外部記憶装置３０８を介してＣＤ−ＲＯＭ３０９にアクセス可能である。ＣＰＵ３０１は、ＣＤ−ＲＯＭ３０９に記録されたプログラムをＲＡＭ３０２にロードして実行することが可能である。
【００５２】
なお、ＣＰＵ３０１が実行するプログラムとして、ＲＯＭ３０２、ＨＤＤ３０４またはＣＤ−ＲＯＭ３０９に記録されたプログラムについて説明したが、ネットワーク２またはインターネット５に接続された他のコンピューターが、ＨＤＤ３０４に記憶されたプログラムを書換えたプログラム、または、追加して書き込んだ新たなプログラムであってもよい。さらに、サーバー３００が、ネットワーク２またはインターネット５に接続された他のコンピューターからダウンロードしたプログラムでもよい。ここでいうプログラムは、ＣＰＵ３０１が直接実行可能なプログラムだけでなく、ソースプログラム、圧縮処理されたプログラム、暗号化されたプログラム等を含む。
【００５３】
なお、ＣＰＵ３０１が実行するプログラムを記憶する媒体としては、ＣＤ−ＲＯＭ３０９に限られず、光ディスク（ＭＯ／ＭＤ／ＤＶＤ）、ＩＣカード、光カード、マスクＲＯＭ、ＥＰＲＯＭ、ＥＥＰＲＯＭなどの半導体メモリであってもよい。
【００５４】
本実施の形態における会議システム１においては、サーバー３００は、会議の日時を割り当てたスケジュールと、会議ごとにその会議で配布される資料となる発表データを予め記憶している。発表データは、会議に参加する複数のユーザーによって共有されるデータである。例えば、会議の発表者が予めその会議に関連付けて発表データをサーバー３００に記憶させることにより、サーバー３００は、発表データを、会議の参加者として登録されたユーザーがアクセス可能に設定する。ユーザーが携帯情報装置２００，２００Ａ〜２００Ｄを携帯して会議に参加する場合に、携帯情報装置２００，２００Ａ〜２００Ｄそれぞれに会議で配布される資料の発表データをサーバー３００からダウンロードし、携帯情報装置２００，２００Ａ〜２００Ｄそれぞれに、発表データの画像を表示する。これにより、会議に参加する複数のユーザーそれぞれが、同一の発表データの画像を閲覧することができるようにしている。例えば、携帯情報装置２００を携帯するユーザーＡの操作について説明すると、ユーザーＡが携帯情報装置２００を操作して、サーバー３００に記憶されているスケジュールを参照して、参加する会議を指定し、その会議への参加を指示する操作を入力すれば、携帯情報装置２００はサーバー３００に会議への参加を申請する。サーバー３００においては、携帯情報装置２００から参加申請があると、携帯情報装置２００を操作するユーザーＡの会議への参加を許可し、その会議の参加者としてユーザーＡを登録する。参加申請において、ユーザー認証をする場合には、ユーザーＡが認証されることを条件に、会議への参加を許可する。また、サーバー３００において、携帯情報装置２００に対してユーザーＡを予め割り当てておき、携帯情報装置２００から参加申請を受信する場合に、携帯情報装置２００に割り当てられたユーザーＡを会議への参加を許可する。
【００５５】
サーバー３００においては、ユーザーＡに対して会議への参加を許可する場合に、サーバー３００は、その会議で配布される資料として予め記憶された発表データを、携帯情報装置２００に送信する。携帯情報装置２００においては、サーバー３００から送信される発表データを受信し、表示部２０５に表示する。
【００５６】
このように、本実施の形態における会議システム１においては、サーバー３００が会議への参加者のすべてを把握するようにしている。また、携帯情報装置２００，２００Ａ〜２００Ｄそれぞれを操作する複数のユーザーが参加している場合に、サーバー３００は、複数の参加者のいずれか1人を発表者とする。例えば、携帯情報装置２００を操作するユーザーＡが、発表者となることを示す操作を携帯情報装置２００に入力すれば、携帯情報装置２００がサーバー３００に発表者権限の付与を申請する。サーバー３００は、携帯情報装置２００からを発表権限の付与が申請される場合、ユーザーＡを発表者に設定する。ここでは、サーバー３００は、複数の参加者のうち一人に対して発表権限を付与するようにしている。
【００５７】
図４は、携帯情報装置が備えるＣＰＵの機能の一例を示すブロック図である。図４に示す機能は、携帯情報装置２００，２００Ａ〜２００Ｄそれぞれが備えるＣＰＵ２０１が、ＲＯＭ２０２、フラッシュメモリ２０４、ＣＤ−ＲＯＭ２０８Ａに記憶された表示制御プログラムを実行することにより、ＣＰＵ２０１に形成される機能である。携帯情報装置２００，２００Ａ〜２００Ｄそれぞれが備えるＣＰＵ２０１が有する機能は、同じなので、特に言及しない限り携帯情報装置２００が備えるＣＰＵ２０１が有する機能を例に説明する。
【００５８】
図４を参照して、ＣＰＵ２０１は、情報受付部２１と、データ取得部２３と、発表者情報表示部２５と、発表ページ表示部２７と、表示指示情報送信部２９と、同期表示制御部３１と、指示ページ表示部３３と、参加者情報表示部３５と、表示指示情報受信部３７と、参照情報生成部３９と、参照情報送信部を４１と、参照情報取得部５１と、リアルタイム表示部５３と、参照情報表示部５５と、参照識別情報表示部５７と、ページ単位表示部５９と、再現部６１と、発表モード切換指示部６３と、参加モード切換指示部６５と、発表モード切換指示受付部６７と、参加モード切換指示受付部６９と、装置モード切換部７１と、状態モード切換部７３と、を含む。
【００５９】
装置モード切換部７１は、携帯情報装置２００の装置モードを発表モードと参加モードとのいずれかに切り換える。ＣＰＵ２０１が起動し、表示制御プログラムを実行した段階では、装置モードは発表モードと参加モードとのいずれにも設定されていない。装置モード切換部７１は、ユーザーがサーバー３００に会議への参加申請する場合、装置モードを参加モードに設定する。具体的には、装置モード切換部７１は、ユーザーが操作部２０６に入力する操作に従って、無線ＬＡＮＩ／Ｆ２０７を制御してサーバー３００と通信し、サーバー３００からスケジュールをダウンロードし、ダウンロードしたスケジュールを表示部２０５に表示する。スケジュールは、１以上の会議それぞれの開催日時を含む。装置モード切換部７１は、表示されたスケジュールに含まれる1以上の会議のうち１つを選択する操作を操作部２０６が受け付けると、無線ＬＡＮＩ／Ｆ２０７を制御して、選択された会議に参加する参加申請信号をサーバー３００に送信する。装置モード切換部７１は、サーバー３００によって参加申請が認められる場合、装置モードを参加モードに設定する。装置モード切換部７１は、装置モードを参加モードに切り換えている間、状態モード切換部７３に参加モードであることを示す参加状態信号を出力する。
【００６０】
状態モード切換部７３は、装置モードが参加モードに切り換えられている状態で機能し、状態モードを同期モードと非同期モードとのいずれかに切り換える。状態モード切換部７３は、装置モード切換部７１から参加状態信号が入力されることに応じて、状態モードを同期モードに切り換える。状態モード切換部７３は、状態モードを同期モードに切り換えている状態で、ユーザーによる状態モード切換指示を受け付けることに応じて、状態モードを非同期モードに切り換え、状態モードを非同期モードに切り換えている状態で、ユーザーによる状態モード切換指示を受け付けることに応じて、状態モードを同期モードに切り換える。例えば、装置モード切換部７１は、表示部２０５に状態モード切換指示を受け付けるための状態モード切換ボタンを表示し、操作部２０６が状態モード切換ボタンを指示する操作を受け付けると、状態モード切換指示を受け付ける。
【００６１】
サーバー３００は、参加申請を認める場合、参加申請された会議の配布資料として関連付けられた発表データを携帯情報装置２００に返信する。参加申請信号を受信するサーバー３００は、参加申請をしてきた装置、例えば、携帯情報装置２００を操作するユーザーを認証することによって参加申請を認めるようにしてもよい。また、サーバー３００に、会議に参加する参加者を予め登録しておき、携帯情報装置２００を操作するユーザーが登録されたユーザーの場合に、参加申請を認めるようにしてもよい。
【００６２】
データ取得部２３は、ユーザーが参加する会議のために予め準備された資料の発表データを取得する。具体的には、データ取得部２３は、無線ＬＡＮＩ／Ｆ２０７が、装置モード切換部７１による参加申請に応じて、サーバー３００が返信する発表データを受信すると、その発表データを取得する。データ取得部２３は発表データを取得すると、取得された発表データを発表ページ表示部２７、同期表示制御部３１および指定ページ表示部３３に出力する。ここでは、データ取得部２３が取得する発表データは、複数ページを含む。
【００６３】
装置モード切換部７１は、さらに、装置モードを参加モードに切り換えた後に、ユーザーが発表者となることを申請する場合、装置モードを発表モードに切り換える。具体的には、装置モード切換部７１は、ユーザーによる発表者となることを指示する操作を操作部２０６が受け付けると、無線ＬＡＮＩ／Ｆ２０７を制御して、サーバー３００に発表者申請信号を送信する。装置モード切換部７１は、サーバー３００によって発表者申請が認められる場合、装置モードを発表モードに切り換える。
【００６４】
携帯情報装置２００，２００Ａ〜２００Ｄのいずれかから発表申請信号を受信するサーバー３００は、１つの会議に一人の発表者を認める。サーバー３００は、携帯情報装置２００から発表者申請信号を受信する場合、発表者申請信号で特定される会議に参加を認めた参加者のいずれも発表者に設定していないことを条件に、発表者申請を認める。
【００６５】
以下の説明では、携帯情報装置２００，２００Ａ〜２００Ｄのうち装置モードを発表モードに切り換えた装置を発表装置といい、携帯情報装置２００，２００Ａ〜２００Ｄのうち装置モードを参加モードに切り換えた装置を参加装置という。
【００６６】
発表ページ表示部２７は、装置モードが発表モードに切り換えられている状態で機能し、データ取得部２３から入力される発表データに含まれる複数ページのうち、ユーザーにより指定されたページの画像を表示部２０５に表示する。発表データのページが表示順に配列されている場合、発表ページ表示部２７は、データ取得部２３から入力される発表データに含まれる複数ページのうち最初のページを表示部２０５に表示する。発表ページ表示部２７は、携帯情報装置２００のユーザーによってページを指定する操作を操作部２０６が受け付けると、発表データに含まれる複数ページのうち指定されたページを表示部２０５に表示する。ページを指定する操作は、表示部２０５に表示されているページの次のページを指定するページ送り操作、表示部２０５に表示されているページの前のページを指定するページ戻り操作、ページの番号を指定するジャンプ操作と、を含む。発表ページ表示部２７は、発表データに含まれる複数ページのうち表示部２０５に表示されているページを識別するためのページ識別情報を、表示指示情報送信部２９に出力する。
【００６７】
情報受付部２１は、ユーザーが操作部２０６に入力する情報を受け付ける。情報受付部２１は、操作部２０６により受け付けられた情報を、発表者情報表示部２５および参加者情報表示部３５に出力する。ユーザーが操作部２０６に入力する情報は、表示部２０５の表示面の任意の位置をマウスポインタで示す情報、ソフトキーボードから入力する文字列、表示部２０５の表示面を指またはスタイラスペン等を用いて手書きで入力する描画を含む。マウスポインタは、表示部２０５に表示されているページの画像中で発表者が指示した位置を示す情報である。情報受付部２１は、タッチパネル２０６Ｂによって発表者が表示部２０５の表示面を指示した位置が検出されると、検出された位置を示す位置情報とマウスポインタの画像と、を発表者情報表示部２５および参加者情報表示部３５に出力する。
【００６８】
文字列は、発表者が表示部２０５に表示されたソフトキーボードを用いて入力する文字列である。情報受付部２１は、表示部２０５に検出された位置にソフトキーボードを表示し、ユーザーがソフトキーボードを用いて入力する文字列を受け付ける。ソフトキーボードは、キーボードの画像であり、複数のキーの画像を含む。情報受付部２１は、タッチパネル２０６Ｂによって発表者が表示部２０５の表示面を指示した位置が検出されると、検出された位置に表示されたキーに割り当てられた文字を受け付ける。情報受付部２１は、受け付けられた文字列を発表者情報表示部２５および参加者情報表示部３５に出力する。
【００６９】
描画は、発表者が手書きで入力する情報である。情報受付部２１は、発表者が表示部２０５の表示面に触れている間に、タッチパネル２０６Ｂによって検出される位置の集合を、描画に特定する。情報受付部２１は、描画を特定する場合、描画を構成する位置の集合を発表者情報表示部２５および参加者情報表示部３５に出力する。
【００７０】
発表者情報表示部２５は、装置モード切換部７１により装置モードが発表モードに切り換えられている状態で機能し、発表者であるユーザーが操作部２０６に入力する情報を、発表者情報として表示部２０５に表示する。発表者情報表示部２５は、情報受付部２１から入力される情報に基づいて発表者情報を表示部２０５に表示する。発表者情報表示部２５は、発表者情報を表示する場合、発表者表示情報を、表示指示情報送信部２９に出力する。
【００７１】
発表者情報表示部２５は、情報受付部２１から位置情報とマウスポインタの画像とが入力されると、位置情報で特定される位置に、マウスポインタの画像を表示部２０５に表示する。発表者情報表示部２５は、マウスポインタの画像を表示する場合、表示部２０５の表示面中でマウスポインタの位置を示す位置情報と、マウスポインタの画像とを含むマウスポインタ表示情報を生成し、マウスポインタ表示情報を発表者表示情報として表示指示情報送信部２９に出力する。
【００７２】
発表者情報表示部２５は、情報受付部２１から文字列が入力される場合、タッチパネル２０６Ｂによって発表者が表示部２０５の表示面を指示した位置に、受け付けられた文字列の画像を表示する。例えば、ユーザーにより指示された位置を開始位置としてその位置から文字列の画像を表示する。発表者情報表示部２５は、文字列の画像を表示する場合、文字列が表示された領域を示す領域情報と、文字列と、を含む文字情報を生成し、文字情報を発表者表示情報として表示指示情報送信部２９に出力する。
【００７３】
発表者情報表示部２５は、情報受付部２１から描画を構成する位置の集合が入力される場合、位置の集合から描画を生成し、表示部２０５に表示する。発表者情報表示部２５は、描画を表示する場合、描画を構成する位置の集合から描画情報を生成し、生成した描画情報を発表者表示情報として、表示指示情報送信部２９に出力する。描画情報は、線画の画像であってもよいし、複数の直線の開始と終了位置を示すストローク情報であってもよい。
【００７４】
表示指示情報送信部２９は、装置モード切換部７１によって装置モードが発表モードに切り換えられている状態で機能し、発表ページ表示部２７からページ識別情報が入力され、発表者情報表示部２５から発表者表示情報が入力される。表示指示情報送信部２９は、発表ページ表示部２７からページ識別情報が入力されることに応じて、ページ識別情報を含む表示指示情報をサーバー３００に送信する。表示指示情報送信部２９は、発表者情報表示部２５から発表者表示情報が入力されることに応じて、ページ識別情報と発表者表示情報とを含む表示指示情報をサーバー３００に送信する。表示指示情報送信部２９は、発表ページ表示部２７からページ識別情報が入力されるごとに、表示指示情報をサーバー３００に送信する。また、表示指示情報送信部２９は、発表者情報表示部２５から発表者表示情報が入力されるごとに、表示指示情報をサーバー３００に送信する。
【００７５】
サーバー３００の詳細は、後述するが、サーバー３００は、携帯情報装置２００のうち装置モードが発表モードに切り換えられている発表装置から表示指示情報が入力されることに応じて、携帯情報装置２００のうち装置モードが参加モードに切り換えられている参加装置に表示指示情報を送信する。表示指示情報に含まれるページ識別情報は、発表データに含まれる複数のページのうち発表装置に表示されているページを識別する情報である。以下、発表装置に表示されているページを発表ページという。
【００７６】
表示指示情報受信部３７は、装置モード切換部７１によって装置モードが参加モードに切り換えられている状態で機能し、サーバー３００から表示指示情報を受信する。具体的には、無線ＬＡＮＩ／Ｆ２０７を制御して、サーバー３００から送信される表示指示情報を受信する。表示指示情報受信部３７は、サーバー３００から表示指示情報を受信することに応じて、表示指示情報を同期表示制御部３１に出力する。
【００７７】
同期表示制御部３１は、装置モード切換部７１によって装置モードが参加モードに切り換えられている状態、かつ、状態モード切換部７３によって状態モードが同期モードに切り換えられている状態で機能し、発表装置により表示されている発表ページの画像および発表者情報を表示する。同期表示制御部３１は、データ取得部２３から発表データが入力され、表示指示情報受信部３７から表示指示情報が入力される。同期表示制御部３１は、発表データに含まれる複数ページのうち表示指示情報に含まれるページ識別情報で特定される発表ページの画像を表示部２０５に表示するとともに、表示指示情報に含まれる発表者表示情報に従って発表者情報を表示部２０５に表示する。同期表示制御部３１は、発表者表示情報がマウスポインタ表示情報の場合、表示部２０５の表示面中でマウスポインタ表示情報に含まれる位置情報で特定される位置に、マウスポインタ表示情報に含まれるマウスポインタの画像を表示する。同期表示制御部３１は、発表者表示情報が文字情報の場合、表示部２０５の表示面中で文字情報に含まれる領域情報で特定される位置に、文字情報に含まれる文字列の画像を表示する。同期表示制御部３１は、発表者表示情報が描画情報の場合、表示部２０５の表示面中で描画情報により特定される位置の集合に従って、描画を生成し、生成された描画を表示部２０５に表示する。これにより、携帯情報装置２００が参加装置の場合に、発表装置に表示されている画像と同じ画像が表示される。
【００７８】
指定ページ表示部３３は、装置モード切換部７１によって装置モードが参加モードに切り換えられている状態、かつ、状態モード切換部７３によって状態モードが非同期モードに切り換えられている状態で機能し、発表データに含まれる複数ページのうち発表者でない参加者であるユーザーにより指定された指定ページの画像を表示部２０５に表示する。状態モードが同期モードに切り換えられている状態では、同期表示制御部３１によって、表示部２０５に発表ページの画像が表示されており、状態モードが同期モードから非同期モードに切り換えられる段階では、表示部２０５には、同期表示制御部３１によって発表ページの画像が表示されている。指定ページ表示部３３は、携帯情報装置２００のユーザーによってページを指定する操作を操作部２０６が受け付けると、発表データに含まれる複数ページのうち指定されたページを表示部２０５に表示する。ページを指定する操作は、表示部２０５に表示されているページの次のページを指定するページ送り操作、表示部２０５に表示されているページの前のページを指定するページ戻り操作、ページの番号を指定するジャンプ操作と、を含む。指定ページ表示部３３は、発表データに含まれる複数ページのうち表示部２０５に表示されているページを識別するためのページ識別情報を、参照情報生成部３９に出力する。
【００７９】
参加者情報表示部３５は、装置モード切換部７１によって装置モードが参加モードに切り換えられている状態、かつ、状態モード切換部７３によって状態モードが非同期モードに切り換えられている状態で機能し、発表者でない参加者であるユーザーが操作部２０６に入力する情報を、参加者情報として表示部２０５に表示する。参加者情報表示部３５は、情報受付部２１から入力される情報に基づいて参加者情報を表示部２０５に表示する。参加者情報表示部３５は、参加者情報を表示する場合、参加者表示情報を、参照情報生成部３９に出力する。
【００８０】
参加者情報表示部３５は、情報受付部２１から位置情報とマウスポインタの画像とが入力されると、位置情報で特定される位置に、マウスポインタの画像を表示部２０５に表示する。参加者情報表示部３５は、マウスポインタの画像を表示する場合、表示部２０５の表示面中でマウスポインタの位置を示す位置情報と、マウスポインタの画像とを含むマウスポインタ表示情報を生成し、マウスポインタ表示情報を参加者表示情報として参照情報生成部３９に出力する。
【００８１】
参加者情報表示部３５は、情報受付部２１から文字列が入力される場合、タッチパネル２０６Ｂによって発表者が表示部２０５の表示面を指示した位置に、受け付けられた文字列の画像を表示する。例えば、ユーザーにより指示された位置を開始位置としてその位置から文字列の画像を表示する。参加者情報表示部３５は、文字列の画像を表示する場合、文字列が表示された領域を示す領域情報と、文字列と、を含む文字情報を生成し、文字情報を発表者表示情報として参照情報生成部３９に出力する。
【００８２】
参加者情報表示部３５は、情報受付部２１から描画を構成する位置の集合が入力される場合、位置の集合から描画を生成し、表示部２０５に表示する。参加者情報表示部３５は、描画を表示する場合、描画を構成する位置の集合から描画情報を生成し、生成した描画情報を発表者表示情報として、参照情報生成部３９に出力する。描画情報は、線画の画像であってもよいし、複数の直線の開始と終了位置を示すストローク情報であってもよい。  参照情報生成部３９は、装置モード切換部７１によって装置モードが参加モードに切り換えられている状態、かつ、状態モード切換部７３によって状態モードが非同期モードに切り換えられている状態で機能し、指定ページ表示部３３からページ識別情報が入力され、参加者情報表示部３５から参加者表示情報が入力される。参照情報生成部３９は、参加者情報表示部３５から参加者表示情報が入力されることに応じて、ページ識別情報と参加者表示情報とを含む参照情報を生成し、生成された参照情報を参照情報送信部４１に出力する。
【００８３】
参照情報送信部４１は、装置モード切換部７１によって装置モードが参加モードに切り換えられている状態、かつ、状態モード切換部７３によって状態モードが非同期モードに切り換えられている状態で機能し、参照情報生成部３９から参照情報が入力されることに応じて、参照情報を、無線ＬＡＮＩ／Ｆ２０７を介してサーバー３００に送信する。
【００８４】
参照情報を受信するサーバー３００は、携帯情報装置２００，２００Ａ〜２００Ｄのうち装置モードが参加モードに切り換えられている参加装置のいずれかから参照情報を受信することに応じて、受信された参照情報と、その参照情報を送信してきた装置を識別するための装置識別情報とを、携帯情報装置２００，２００Ａ〜２００Ｄのうち参照情報を送信してきた装置以外の装置に送信する。
【００８５】
参照情報取得部５１は、無線ＬＡＮＩ／Ｆ２０７がサーバー３００から受信する参照情報および装置識別情報を取得する。参照情報取得部５１は、取得された参照情報と装置識別情報との組を、リアルタイム表示部５３、参照情報表示部５５、参照識別情報表示部５７、およびページ単位表示部５９に出力する。
【００８６】
リアルタイム表示部５３は、装置モード切換部７１によって装置モードが発表モードに切り換えられている状態で機能し、参照情報取得部５１から参照情報と装置識別情報とが入力されることに応じて、参加者情報を表示部２０５に表示する。リアルタイム表示部５３は、参照情報取得部５１から参照情報と装置識別情報とが入力されることに応じて、参照情報に含まれる参加者表示情報に従って、参加者情報を表示部２０５に表示する。表示部２０５には、発表ページ表示部２７によって、発表ページの画像が表示されているので、リアルタイム表示部５３は、参照情報取得部５１から入力される参照情報が、発表ページと同じページのページ識別情報を含む参照情報の場合に、その参照情報に含まれる参加者表示情報に従って、参加者情報を表示部２０５に表示する。このため、携帯情報装置２００を操作する発表者は、発表中に、発表ページに対して、他の参加者が入力した参加者情報を見ることができる。
【００８７】
参照情報表示部５５は、携帯情報装置２００を操作する発表者により入力される参照情報表示操作を受け付けることに応じて、参照情報取得部５１から入力される参照情報と装置識別情報とに基づいて、参加者情報を表示部２０５に表示する。参照情報表示操作は、参照情報の表示を指示する操作であり、例えば、表示部２０５に参照情報表示操作が割り当てられたボタンを表示し、タッチパネル２０６Ｂによってボタン内の位置が検出される場合に、受け付けられる。参照情報取得部５１から入力される参照情報が複数の場合があり、複数の参照情報それぞれに含まれる装置識別情報が異なる場合がある。また、複数の参照情報それぞれに含まれるページ識別情報が異なる場合がある。さらに、複数の参照情報は、装置識別情報とページ識別情報が同じであって、参加者表示情報が異なる組が存在する場合がある。
【００８８】
参照情報表示部５５は、参照情報取得部５１から入力される参照情報と装置識別情報に基づいて、参加者情報を表示部２０５に表示する。参照情報取得部５１から入力される参照情報は複数の場合がある。参照情報表示部５５は、参照情報取得部５１から入力される１以上の参照情報にそれぞれ対応する１以上の参照画像を生成し、生成された１以上の参照画像を、並べて表示する。参照画像は、それが対応する参照情報に含まれるページ識別情報で特定されるページの画像うち参照情報に含まれる位置で特定される領域を含む画像に参照情報に含まれる参加者情報を重畳した画像である。
【００８９】
参照情報表示部５５は、表示部２０５に表示された１以上の参照画像のいずれかが、携帯情報装置２００を操作する発表者により入力される参照画像選択操作を受け付けることに応じて、選択された参照画像に対応する参照情報と装置識別情報との組を再現部６１および発表モード切換指示部６３に出力する。参照画像選択操作は、１以上の参照画像のうちから１つを選択する操作であり、例えば、表示部２０５に表示された１以上の参照画像のいずれかをユーザーが指示する操作が、タッチパネル２０６Ｂによって検出される場合に、受け付けられる。
【００９０】
ページ単位表示部５９は、参照情報取得部５１から入力される参照情報と装置識別情報に基づいて、発表データに含まれる複数のページごとに参加者情報を表示部２０５に表示する。ページ単位表示部５９は、発表データのうちユーザーにより１つのページが指定される場合、参照情報取得部５１から入力される１以上の参照情報のうちからユーザーにより指定されたページのページ識別情報を含む参照情報を処理対象に抽出する。ページ単位表示部５９は、発表データに含まれる複数のページのうちユーザーにより指定されたページの画像を、表示部２０５に表示する。さらに、ページ単位表示部５９は、表示部２０５に表示されたページの画像中で処理対象に抽出された１以上の参照情報それぞれを用いて、その参照情報に含まれる位置で特定される領域に参照情報に含まれる参加者情報の画像を重畳して表示する。これにより、ユーザーにより指定されたページに対して１以上の参加者が入力した参照情報のすべてが表示部２０５に表示される。さらに、ページ単位表示部５９は、処理対象に抽出された１以上の参照情報にそれぞれ対応する１以上の参照画像を生成し、１以上の参照画像を表示部２０５に表示されたページの画像に並べて表示する。これにより、ユーザーにより選択されたページの画像に、そのページに対して１以上の参加者がそれぞれ入力した１以上の参加者情報が重畳して表示されるとともに、１以上の参加者情報にそれぞれ対応する１以上の参照画像がページの画像に並んで表示される。このため、ユーザーが指定したページに対して入力された１以上の参加者情報を一度に閲覧できるとともに、１以上の参照画像から１以上の参加者情報を拡大して閲覧することができる。
【００９１】
また、ページ単位表示部５９は、１以上の参照画像と、ページの画像中に重畳して表示される１以上の参加者情報との対応を示すために、ユーザーにより入力される、１以上の参照画像のいずれかを指示する操作を受け付けると、指示された参照画像に対応する参加者情報を、他の参加者情報と表示態様を異ならせる。例えば、指示された参照画像に対応する参加者情報の明度を、他の参加者情報の明度よりも明るくする。また、指示された参照画像に対応する参加者情報の色を、他の参加者情報の色と異ならせる。
【００９２】
また、ページ単位表示部５９は、発表データのうちユーザーにより１つのページが指定されない場合、発表データに含まれる複数のページごとに、そのページの画像を、表示部２０５に表示する。さらに、ページ単位表示部５９は、表示部２０５に表示された複数のページの画像ごとに、そのページの画像中で、そのページのページ識別情報を含む参照情報を用いて、その参照情報に含まれる位置で特定される領域に参照情報に含まれる参加者情報の画像を重畳して表示する。これにより、発表データに含まれる複数のページごとに、そのページに対して１以上の参加者が入力した参照情報のすべてが表示部２０５に表示される。このため、複数のページそれぞれに対して入力された１以上の参加者情報を一度に閲覧できる。また、ページ単位表示部５９は、複数のページごとに参加者情報を表示した後に、１つのページがユーザーにより選択される場合に、選択されたページのみについて、ユーザーにより選択されたページの画像に、そのページに対して１以上の参加者がそれぞれ入力した１以上の参加者情報を重畳して表示するとともに、１以上の参加者情報にそれぞれ対応する１以上の参照画像をページの画像に並んで表示するようにしてもよい。
【００９３】
参照識別情報表示部５７は、参照情報取得部５１から入力される参照情報と装置識別情報に基づいて、参照識別情報を表示部２０５に表示する。参照識別情報は、参照情報に含まれる参加者情報を識別するための情報である。ここでは、参照識別情報を、参加者情報を入力した参加者を識別するためのユーザー識別情報としている。なお、参加者情報を識別できれば、参加者情報が入力された携帯情報装置を識別するための装置識別情報としてもよい。参照情報取得部５１から入力される参照情報は複数の場合がある。参照識別情報表示部５７は、参照情報取得部５１から入力される１以上の参照情報にそれぞれ対応する１以上の参照識別情報を、参照情報表示部５５により表示された参照画像、または、ページ単位表示部５９によって表示された参照画像と関連付けて表示する。例えば、参照識別情報を、参照画像に重畳して表示する、また、参照識別情報を参照画像の近傍に表示する。
【００９４】
参照識別情報表示部５７は、表示部２０５に表示された１以上の参照識別情報のいずれかが、携帯情報装置２００を操作する発表者により入力される参照識別情報選択操作を受け付けることに応じて、参照識別情報に対応する参照情報と装置識別情報との組を発表モード切換指示部６３に出力する。参照識別情報選択操作は、１以上の参照識別情報のうちから１つを選択する操作であり、例えば、表示部２０５に表示された１以上の参照識別情報のいずれかをユーザーが指示する操作が、タッチパネル２０６Ｂによって検出される場合に、受け付けられる。
【００９５】
再現部６１は、装置モード切換部７１によって装置モードが発表モードに切り換えられている状態で機能し、参照情報表示部５５からユーザーにより選択された参照画像に対応する参照情報と装置識別情報との組が入力されることに応じて、発表データに含まれる複数のページのうち参照情報に含まれるページ識別情報で特定されるページの画像を、表示部２０５に表示し、さらに、表示部２０５に表示されたページの画像中で参照情報に含まれる位置で特定される領域に参照情報に含まれる参加者情報の画像を重畳して表示する。これにより、参加者情報を入力した参加者が、参加者情報を入力した時点の画像と同じ画像が、表示部２０５に表示される。
【００９６】
再現部６１は、参照情報に含まれるページ識別情報で特定されるページの画像に、参照情報に含まれる参加者情報の画像を重畳して表示した後、発表者切換操作を受け付けることに応じて、発表者切換指示を発表モード切換指示部６３に出力する。発表者切換指示は、参照情報表示部５５から入力される装置識別情報を含む。発表者切換操作は、携帯情報装置２００を操作する発表者により入力され、発表者となる権限を、参加者情報を入力したユーザーへの移譲を指示する操作である。例えば、再現部６１は、表示部２０５に発表者切換操作が割り当てられたボタンを表示し、タッチパネル２０６Ｂによってボタン内の位置が検出される場合に、発表者切換操作を受け付ける。
【００９７】
発表モード切換指示部６３は、装置モード切換部７１によって装置モードが発表モードに切り換えられている状態で機能し、再現部６１から発表者切換指示が入力されることに応じて、発表モード切換指示を、無線ＬＡＮＩ／Ｆ２０７を介してサーバー３００に送信するとともに、発表モード切換指示を参加モード切換指示部６５および装置モード切換部７１に出力する。発表モード切換指示は、発表者切換指示に含まれる装置識別情報を含む。また、発表モード切換指示部６３は、参照情報表示部５５からユーザーにより選択された参照画像に対応する参照情報と装置識別情報との組が入力されることに応じて、発表モード切換指示を、無線ＬＡＮＩ／Ｆ２０７を介してサーバー３００に送信するとともに、発表モード切換指示を参加モード切換指示部６５に出力するようにしてもよい。発表モード切換指示は、参照情報表示部５５から入力される装置識別情報を含む。さらに、発表モード切換指示部６３は、参照識別情報表示部５７から携帯情報装置２００を操作する発表者により選択された参照識別情報に対応する参照情報と装置識別情報との組が入力されることに応じて、発表モード切換指示を、無線ＬＡＮＩ／Ｆ２０７を介してサーバー３００に送信するとともに、発表モード切換指示を参加モード切換指示部６５に出力するようにしてもよい。発表モード切換指示は、参照識別情報表示部５７から入力される装置識別情報を含む。
【００９８】
発表モード切換指示を受信するサーバー３００は、１以上の参加装置のうち発表モード切換指示に含まれる装置識別情報で特定される参加装置に発表モード切換指示を送信する。発表モード切換指示受付部６７は、装置モード切換部７１によって装置モードが参加モードに切り換えられている状態で機能し、無線ＬＡＮＩ／Ｆ２０７がサーバー３００から発表モード切換指示を受信すると、発表モード切換指示を受け付ける。発表モード切換指示受付部６７は、発表モード切換指示を受け付けると、装置モード切換部７１に、発表モード切換指示を出力する。
【００９９】
参加モード切換指示部６５は、装置モード切換部７１によって装置モードが参加モードに切り換えられている状態で機能し、発表モード切換指示部６３から発表モード切換指示が入力された後に、参加モードへの切換を指示するユーザーによる操作を受け付けると、無線ＬＡＮＩ／Ｆ２０７を介してサーバー３００に参加モード切換指示を送信するとともに、参加モード切換指示を装置モード切換部７１に出力する。参加モード切換指示を受信するサーバー３００は、１以上の参加装置のうち発表モード切換指示を送信した参加装置に参加モード切換指示を送信する。
【０１００】
参加モード切換指示受付部６９は、装置モード切換部７１によって装置モードが発表モードに切り換えられている状態で機能し、無線ＬＡＮＩ／Ｆ２０７がサーバー３００から参加モード切換指示を受信すると、参加モード切換指示を受け付ける。参加モード切換指示受付部６９は、参加モード切換指示を受け付けると、装置モード切換部７１に、参加モード切換指示を出力する。
【０１０１】
装置モード切換部７１は、装置モードを発表モードに切り換えている場合、発表モード切換指示部６３から発表モード切換指示が入力されることに応じて、装置モードを予め定められた移譲期間だけ参加モードに切り換える。具体的には、装置モード切換部７１は、装置モードが発表モードに切り換えられている場合、発表モード切換指示部６３から発表モード切換指示が入力されることに応じて、装置モードを参加モードに切り換え、参加モードに切り換えてから移譲期間が経過すると装置モードを発表者モードに切り換える。これにより、発表装置を操作する発表者は、移譲期間の間だけ参加装置を操作する参加者に発表者権限を移譲することができる。また、装置モード切換部７１は、発表モード切換指示部６３から発表モード切換指示が入力された後であって、移譲期間が経過する前に、参加モード切換指示部６５から参加モード切換指示が入力されることに応じて、装置モードを発表モードに切り換える。これにより、発表装置を操作する発表者は、移譲期間が経過する前であっても発表者権限を取り戻すことができる。
【０１０２】
また、装置モード切換部７１は、装置モードを参加モードに切り換えている場合、発表モード切換指示受付部６７から発表モード切換指示が入力されることに応じて、装置モードを移譲期間だけ発表モードに切り換える。具体的には、装置モード切換部７１は、装置モードが参加モードに切り換えられている場合、発表モード切換指示受付部６７から発表モード切換指示が入力されることに応じて、装置モードを発表モードに切り換え、発表モードに切り換えてから移譲期間が経過すると装置モードを参加モードに切り換える。これにより、参加装置を操作する参加者は、移譲期間の間だけ発表装置を操作する発表者から発表者権限が移譲される。また、装置モード切換部７１は、発表モード切換指示受付部６７から発表モード切換指示が入力された後であって、移譲期間が経過する前に、参加モード切換指示受付部６９から参加モード切換指示が入力されることに応じて、装置モードを参加モードに切り換える。これにより、発表装置を操作する発表者は、移譲期間が経過する前であっても発表者権限を取り戻すことができる。
【０１０３】
図５は、サーバーが備えるＣＰＵの機能の一例を示すブロック図である。図５に示す機能は、サーバー３００が備えるＣＰＵ３０１が、ＲＯＭ３０２、ＨＤＤ３０４、ＣＤ−ＲＯＭ３０９に記憶された会議管理プログラムを実行することにより、ＣＰＵ３０１に形成される機能である。図５を参照して、サーバー３００が備えるＣＰＵ３０１は、会議情報登録部３２１と、参加申請受付部３２３と、発表データ送信部３２５と、参加装置管理部３２７と、参照情報受信部３２９と、参照情報送信部３３１と、発表装置管理部３３３と、表示指示受信部３３５と、表示指示送信部３３７と、発表モード切換指示受信部３３９と、発表モード切換指示送信部３４１と、参加モード切換指示受信部３４３と、参加モード切換指示送信部３４５と、を含む。
【０１０４】
会議情報登録部３２１は、会議の開催日時、開催場所、参加者を含む会議情報を登録する。具体的には、ユーザーがネットワーク２に接続されたパーソナルコンピューター（以下「ＰＣ」という）を用いて、サーバー３００を遠隔操作し、会議情報を入力することにより、会議情報登録部３２１は、会議情報を登録する。会議情報登録３２１は、登録された会議情報を、参加申請受付部３２３に出力する。また、会議情報登録部３２１は、会議に関連付けて発表データを登録する。会議情報登録部３２１は、会議の発表者が予め準備した発表データを発表データを会議に関連付けてＨＤＤ３０４に記憶することにより、会議に関連付けて発表データを登録する。
【０１０５】
参加申請受付部３２３は、通信部３０５が携帯情報装置２００，２００Ａ〜２００のいずれかから、参加申請信号を受信すると、参加申請を受け付ける。参加申請信号は、会議を特定するための情報を含む。参加申請受付部３２３は、会議を識別するための会議識別情報と、携帯情報装置２００，２００Ａ〜２００のうち参加申請信号を送信してきた装置を識別するための装置識別情報とを、発表データ送信部３２５および参加装置管理部３２７に出力する。
【０１０６】
発表データ送信部３２５は、参加申請受付部３２３から会議識別情報と、装置識別情報とが入力されることに応じて、発表データを参加申請信号を送信してきた参加装置に送信する。具体的には、通信部３０５を制御して、携帯情報装置２００，２００Ａ〜２００Ｄのうち装置識別情報で特定される参加装置に、会議識別情報で特定される会議に関連付けてＨＤＤ２０４に記憶されている発表データを送信する。
【０１０７】
参加装置管理部３２７は、参加申請受付部３２３から会議識別情報と、装置識別情報とが入力されることに応じて、会議識別情報で特定される会議の参加者を設定する。携帯情報装置２００，２００Ａ〜２００それぞれを識別するための装置識別情報と、携帯情報装置２００，２００Ａ〜２００を使用するユーザーとして予め割り当てられたユーザーのユーザー識別情報とを記憶しておき、参加申請信号を送信してきた装置を特定することにより、その装置を使用するユーザーを参加申請したユーザーに特定する。参加装置管理部３２７は、会議の参加者を特定する場合、会議識別情報と、参加者を識別するためのユーザー識別情報との組を、発表装置管理部３３３に出力する。
【０１０８】
発表装置管理部３３３は、参加装置管理部３２７から会議識別情報とユーザー識別情報との組が入力され、１以上の参加者のうちから１人の発表者を特定する。ここでは、携帯情報装置２００，２００Ａ〜２００それぞれから参加申請信号が受信され、参加装置管理部３２７によって携帯情報装置２００，２００Ａ〜２００をそれぞれ操作するユーザーが参加者に設定されている場合を例に説明する。発表装置管理部３３３は、通信部３０５が携帯情報装置２００，２００Ａ〜２００のいずれかから発表者申請信号を受信する場合に、発表者申請を受け付ける。発表装置管理部３３３は、携帯情報装置２００，２００Ａ〜２００のうち発表者申請信号を送信してきた装置を操作するユーザーを発表者に設定する。
【０１０９】
参照情報受信部３２９は、参加装置から参照情報を受信し、受信された参照情報と参照情報を送信してきた装置の装置識別情報との組を参照情報送信部３３１に出力する。具体的には、参照情報受信部３２９は、通信部３０５が参加装置管理部３２７によって携帯情報装置２００，２００Ａ〜２００のうち参加装置に設定された装置のいずれかから参照情報を受信すると、受信された参照情報と参照情報を送信してきた装置の装置識別情報との組を参照情報送信部３３１に出力する。
【０１１０】
参照情報送信部３３１は、参照情報を参加装置および発表装置に送信する。参照情報送信部３３１は、参照情報受信部３２９から参照情報と装置識別情報との組が入力されることに応じて、通信部３０５を制御して、参加装置管理部３２７によって携帯情報装置２００，２００Ａ〜２００のうち参加装置に設定された装置の全てと、発表装置管理部３３３によって発表装置に設定された装置に、参照情報と装置識別情報との組を送信する。
【０１１１】
表示指示受信部３５５は、発表装置から表示指示情報を受信し、受信された表示指示情報を表示指示送信部３３７に出力する。具体的には、表示指示受信部３５５は、通信部３０５が発表装置管理部３３３によって携帯情報装置２００，２００Ａ〜２００のうち発表装置に設定された装置から表示指示情報を受信すると、受信された表示指示情報を表示指示送信部３３７に出力する。
【０１１２】
表示指示送信部３３７は、表示指示受信部３３５から表示指示情報が入力されることに応じて、通信部３０５を制御して、参加装置管理部３２７によって携帯情報装置２００，２００Ａ〜２００のうち参加装置に設定された装置の全てに、表示指示情報を送信する。
【０１１３】
発表モード切換指示受信部３３９は、通信部３０５を制御して、発表装置から発表モード切換指示を受信する。発表モード切換指示受信部３３９は、受信された発表モード切換指示を発表モード切換指示送信部３４１に出力するとともに、発表モード切換指示および発表モード切換指示を送信してきた発表装置の装置識別情報を発表装置管理部３３３および参加モード切換指示受信部３４３に出力する。発表モード切換指示送信部３４１は、発表モード切換指示受信部３３９から発表モード切換指示が入力されることに応じて、通信部３０５を制御して、発表モード切換指示を発表モード切換指示に含まれる装置識別情報で特定される参加装置に送信する。
【０１１４】
参加モード切換指示受信部３４３は、発表モード切換指示受信部３３９から発表モード切換指示および装置識別情報が入力される。発表モード切換指示受信部３３９から入力される装置識別情報は、発表モード切換指示を送信してきた元の発表装置の装置識別情報であり、発表モード切換指示に含まれる装置識別情報は、次に発表装置になる参加装置の装置識別情報である。ここでは、発表モード切換指示を送信してきた元の発表装置を第１発表装置といい、発表モード切換指示に含まれる装置識別情報で特定される装置を第２発表装置という。参加モード切換指示受信部３４３は、通信部３０５を制御して、発表モード切換指示受信部３３９から入力される装置識別情報で特定される第１発表装置から参加モード切換指示を受信する。参加モード切換指示受信部３４３は、受信された参加モード切換指示と第２発表装置の装置識別情報を、参加モード切換指示送信部３４５に出力するとともに、発表装置管理部３３３に第１発表装置の装置識別情報と第２発表装置の装置識別情報とを、発表装置管理部３３３に出力する。
【０１１５】
参加モード切換指示送信部３４５は、参加モード切換指示受信部３４３から参加モード切換指示と第２発表装置の装置識別情報とが入力されることに応じて、通信部３０５を制御して、参加モード切換指示を第２発表装置に送信する。
【０１１６】
発表装置管理部３３３は、発表モード切換指示受信部３３９から発表モード切換指示および発表モード切換指示を送信してきた第１発表装置の装置識別情報が入力される場合、第１発表装置を参加装置に設定し、発表モード切換指示に含まれる装置識別情報で特定される参加装置を発表装置に設置する。
【０１１７】
次に発表装置管理部３３３は、参加モード切換指示受信部３４３から第１発表装置の装置識別情報と第２発表装置の装置識別情報とが入力される場合、その時点で参加装置に設定されている第１発表装置を発表装置に設定し、その時点で発表装置に設定されている第２発表装置を参加装置に設定する。
【０１１８】
図６は、初期画面の一例を示す第１の図である。初期画面は、携帯情報装置２００がサーバー３００に参加申請信号を送信し、サーバー３００から発表データを受信する段階で携帯情報装置２００に表示される画面である。図６を参照して、初期画面５００は、発表資料を表示する領域５０１と、「参加中」の文字が表された状態モード切換ボタン５０３と、「発表」の文字が表された装置モード切換ボタン５０５と、「一覧」の文字が表された参加者情報表示ボタン５０７と、鉛筆の画像が表され入力モード切換ボタン５０９と、を含む。携帯情報装置２００は、初期画面を最初に表示する段階で、領域５０１に発表データの第１ページの画像を表示し、装置モードを参加モードに設定するとともに状態モードを同期モードに設定する。また、携帯情報装置２００は、初期画面５００の状態モード切換ボタン５０３を、「参加中の」文字を表示した状態で反転表示し、装置モードを参加モードに、状態モードを同期モードに、それぞれ設定したことをユーザーに通知する。図では、反転表示をハッチングで示し、反転表示でない通常表示をハッチング無しで示している。
【０１１９】
装置モードが参加モードの状態で携帯情報装置２００のユーザーが、状態モード切換ボタン５０３を指示すれば、携帯情報装置２００は、状態モードを同期モードから非同期モードに切り換える。携帯情報装置２００は、初期画面５００の状態モード切換ボタン５０５の表示を「個人モード」に変更し、状態モードを非同期モードに切り換えたことをユーザーに通知する。
【０１２０】
装置モードが参加モードの状態で携帯情報装置２００のユーザーが、装置モード切換ボタン５０５を指示すれば、携帯情報装置２００は、サーバー３００に発表申請信号を送信し、サーバー３００によって発表者申請が認められてサーバー３００から許可信号を受信すると、装置モードを発表モードに切り換える。携帯情報装置２００は、初期画面５００の状態モード切換ボタン５０３を反転表示から通常表示に切り換えるとともに、装置モード切換ボタン５０５を反転表示し、装置モードを発表モードに切り換えたことをユーザーに通知する。
【０１２１】
装置モードが発表モードおよび参加モードのいずれの場合であっても、携帯情報装置２００のユーザーが、参加者情報表示ボタン５０７を指示すれば、携帯情報装置２００は、表示部２０５に表示している初期画面５００を参加者情報表示画面に切り換える。
【０１２２】
装置モードが発表モードの場合、または、装置モードが参加モードかつ状態モードが非同期モードの場合、入力モード切換ボタン５０９が有効になる。ユーザーが入力モード切換ボタン５０９を指示することにより、携帯情報装置２００は手書きの描画を受け付ける。
【０１２３】
図７は、初期画面の一例を示す第２の図である。ここでは、携帯情報装置２００Ａが、装置モードが参加モードかつ状態モードが非同期モードの状態で、入力モード切換ボタン５０９が指示された状態の携帯情報装置２００Ａの表示部２０５に表示される初期画面の一例を示す。図７を参照して、初期画面５００Ａは、状態モード切換ボタン５０３の表示が「個人モード」とされて反転表示されており、装置モードが参加モードかつ状態モードが非同期モードであることが示される。また、入力モード切換ボタン５０９が反転表示され、携帯情報装置２００Ａが参加者情報として手書きの描画を受け付け可能な状態であることがユーザーに示される。さらに、領域５０１には、発表ページの画像が表示されている。さらに、初期画面５００Ａは、携帯情報装置２００Ａのユーザーにより入力された手書の描画５１１を含む。
【０１２４】
初期画面５００Ａが表示される場合、携帯情報装置２００Ａは、参加者情報としての手書きの描画５１１を表示するための参加者表示情報を含む参照情報を生成し、サーバー３００に送信する。参照情報は、サーバー３００によって他の携帯情報装置２００，２００Ｂ〜２００Ｃに送信される。
【０１２５】
図８は、初期画面の一例を示す第３の図である。ここでは、携帯情報装置２００が、装置モードが発表モードの状態で、かつ、携帯情報装置２００Ａにおいて参加者情報が入力され、図７に示した手書きの描画５１１を含む初期画面５００Ａが表示される場合に、携帯情報装置２００の表示部２０５に表示される初期画面の一例を示す。図８を参照して、携帯情報装置２００に表示される初期画面５００Ｂは、装置モード切換ボタン５０５が反転表示されており、装置モードが発表モードであることが示される。領域５０１には、発表ページの画像に、手書の描画５１１Ａが表示される。手書の描画５１１Ａは、携帯情報装置２００Ａに入力された手書の画像５１１と同じ形状で透明の画像である。これにより、手書きの画像５１１Ａと重なるページの画像が透けて見えるとともに、ページの画像と区別可能に表示される。携帯情報装置２００は、装置モードが発表モードなので携帯情報装置２００のユーザーは発表者であり、携帯情報装置２００Ａのユーザーが参加者である。発表者は、初期画面５００Ｂを見ることにより手書きの画像５１１Ａを確認することができ、携帯情報装置２００Ａを操作する参加者が入力した参加者情報を知ることができる。
【０１２６】
図９は、第１の参加者情報表示画面の一例を示す図である。ここでは、携帯情報装置２００が、装置モードが発表モードの状態で、表示する第１の参加者情報表示画面の一例を示している。図９を参照して、第１の参加者情報表示画面５２０は、初期画面と同様に、状態モード切換ボタン５０３と、「発表」の文字が表された装置モード切換ボタン５０５と、「一覧」の文字が表された参加者情報表示ボタン５０７と、を含む。装置モード切換ボタン５０５は、反転表示されており、これにより装置モードが発表モードであることがユーザーに示される。また、参加者情報表示ボタン５０７が反転表示されており、第１の参加者情報表示画面５２０が参加者情報を表示するための画面であることがユーザーに示される。第１の参加者情報表示画面５２０は、第１参照画像５２１と、第２参照画像５２３と、第２参照画像５２５とが上下方向に並んで配置される。第１参照画像５２１は、参加者情報５２１Ａを、その参加者情報５２１Ａが入力されたページのうち参加者情報５２１Ａを含む部分５２１Ｂに重畳した画像である。第２参照画像５２３は、参加者情報５２３Ａを、その参加者情報５２３Ａが入力されたページのうち参加者情報５２３Ａを含む部分５２３Ｂに重畳した画像である。第３参照画像５２５は、一部のみが表示されている。参加者情報表示画面５２０をスクロールさせることにより、第３参照画像５２５の全体が表示される。スクロール操作は、例えば、指で表示部２０５の表示面に触れながら指を移動させる操作である。
【０１２７】
第１参照画像５２１の左側の近傍に、第１参照画像５２１に含まれる参加者情報５２１Ａを入力したユーザーのユーザー識別情報５２１Ｃと、参加者情報５２１Ａがユーザー識別情報５２１Ｃで特定されるユーザーにより入力された年月日５２１Ｄと、が配置される。これにより、第１参照画像に含まれる参加者情報５２１Ａを入力したユーザーと、参加者情報５２１Ａが入力された年月日とをユーザーに通知することができる。
【０１２８】
第２参照画像５２３の左側の近傍に、第２参照画像５２３に含まれる参加者情報５２３Ａを入力したユーザーのユーザー識別情報５２３Ｃと、参加者情報５２３Ａがユーザー識別情報５２３Ｃで特定されるユーザーにより入力された年月日５２３Ｄと、が配置される。これにより、第２参照画像に含まれる参加者情報５２３Ａを入力したユーザーと、参加者情報５２３Ａが入力された年月日とをユーザーに通知することができる。
【０１２９】
また、ユーザーが参加者情報表示画面５２０に含まれる第１参照画像５２１、第２参照画像５２３および第３参照画像５２５のいずれかを、ユーザーがタップすれば、携帯情報装置２００は、タップされた参照画像に対応する再現画面を表示する。なお、ユーザーがタップする操作は、参加者情報を特定できればよいので、タップする位置は、第１参照画像５２１、第２参照画像５２３および第３参照画像５２５に限らない。例えば、第１参照画像５２１に代えて、ユーザー識別情報５２１Ｃをタップする操作であってもよいし、年月日５２１Ｄをタップする操作であってもよい。
【０１３０】
図１０は、再現画面の一例を示す図である。ここでは、図９に示した参加者情報表示画面５２０に含まれる第１参照画像５２１がタップされる場合に携帯情報装置２００が表示する再現画面を示している。図１０を参照して、再現画面５３０は、図９に示した参加者情報表示画面５２０と同様に、状態モード切換ボタン５０３と、装置モード切換ボタン５０５と、参加者情報表示ボタン５０７と、を含む。装置モード切換ボタン５０５は、反転表示されており、これにより装置モードが発表モードであることがユーザーに示される。また、参加者情報表示ボタン５０７が反転表示されており、再現画面５３０が参加者情報を表示する画面であることがユーザーに示される。
【０１３１】
また、再現画面５３０は、再現領域５３１を含む。再現領域５３１は、図９に示した第1の参加者情報表示画面５２０に含まれる第１参照画像５２１に対応するページの画像５３１Ａに、第１参照画像５２１に含まれていた参加者情報５２１Ａを重畳した画像である。再現領域５３１の表示される画像は、図７に示した初期画面５００Ａの領域５０１に表示されていた画像と同じ画像である。換言すれば、携帯情報装置２００Ａを操作する参加者が、参加者情報５１１を入力した時点で、携帯情報装置２００Ａに表示される初期画面５００Ａの領域５０１と同じ画像を再現画面５３０は含む。
【０１３２】
携帯情報装置２００のユーザーが再現領域５３１に指で触れながら所定の速さで移動させるフリック操作をすると、携帯情報装置２００は、発表者切換操作を受け付け、サーバー３００に発表モード切換指示を送信するとともに、装置モードを参加モードに切り換える。発表モード切換指示は、参加者情報５２１Ａを入力したユーザーが操作する携帯情報装置２００Ａの装置識別情報を含む。サーバー３００は、携帯情報装置２００から発表モード切換指示を受信すると、発表モード切換指示を携帯情報装置２００Ａに送信する。
【０１３３】
図１１は、通知画面の一例を示す図である。ここでは、参加者情報５２１Ａを入力したユーザーが操作する携帯情報装置２００Ａに表示される通知画面を示す。図１１を参照して、通知画面５４０は、図７に示した手書きの描画５１１を含む初期画面５００Ａを表示する携帯情報装置２００Ａが、サーバー３００から発表モード切換指示を受信する場合に、表示される。確認画面５４０は、「発表者権限を譲渡されました。発表して下さい。」の文字列と、ＯＫの文字が表されたボタン５４１とを含む。携帯情報装置２００Ａは、ユーザーによるボタン５４１を指示する操作を受け付けると、装置モードを発表モードに切り換える。
【０１３４】
図１２は、第２の参加者情報表示画面の一例を示す図である。ここでは、第２の参加者情報表示画面を、携帯情報装置２００が、装置モードが発表モードの状態で、ページ単位表示モードが指定された場合に、表示する画面としている。図１２を参照して、第２の参加者情報表示画面５４０は、初期画面と同様に、状態モード切換ボタン５０３と、「発表」の文字が表された装置モード切換ボタン５０５と、「一覧」の文字が表された参加者情報表示ボタン５０７と、を含む。装置モード切換ボタン５０５は、反転表示されており、これにより装置モードが発表モードであることがユーザーに示される。また、参加者情報表示ボタン５０７は、反転表示されており、第２の参加者情報表示画面５４０が参加者情報を表示する画面であることがユーザーに示される。第２の参加者情報表示画面５４０は、再現領域５４１と、第１参照画像５２１と、第２参照画像５２３と、を含む。再現領域５４１は、ユーザーにより指定されたページの画像に、指定されたページに対して入力された参加者情報５２１Ａおよび参加者情報５２３Ａを重畳した画像を含む。再現領域５４１の右側に、参加者情報５２１Ａに対応する第１参照画像５２１と、参加者情報５２３Ａに対応する参照画像５２３とが上下に並んで配置される。第１参照画像５２１は、参加者情報５２１Ａを、その参加者情報５２１Ａが入力されたページのうち参加者情報５２１Ａを含む部分５２１Ｂに重畳した画像である。第２参照画像５２３は、参加者情報５２３Ａを、その参加者情報５２３Ａが入力されたページのうち参加者情報５２３Ａを含む部分５２３Ｂに重畳した画像である。
【０１３５】
また、第１参照画像５２１の左上の近傍に、第１参照画像５２１に含まれる参加者情報５２１Ａを入力したユーザーのユーザー識別情報５２１Ｃが配置される。これにより、第１参照画像に含まれる参加者情報５２１Ａを入力したユーザーを、携帯情報装置２００を操作するユーザーに通知することができる。第２参照画像５２３の左上の近傍に、第２参照画像５２３に含まれる参加者情報５２３Ａを入力したユーザーのユーザー識別情報５２３Ｃが配置される。これにより、第２参照画像に含まれる参加者情報５２３Ａを入力したユーザーを、携帯情報装置２００を操作するユーザーに通知することができる。なお、ここでは、ユーザーにより指定されたページに対して入力された参加者情報が２つの場合を例に示したが、参加者情報の数を限定するものではない。１つのページに複数の参加者情報が入力され、複数の参加者情報それぞれに対応する参照画像を１画面に表示することができなくなる場合には、参照画像をスクロール表示すればよい。
【０１３６】
また、ユーザーが第２参加者情報表示画面５４０に含まれる第１参照画像５２１、第２参照画像５２３のいずれかをタップすれば、携帯情報装置２００は、再現領域５４１に表示された参加者情報５２１Ａ、５２３Ａのうちタップされた参照画像に対応する参加者情報を、他の参照情報と表示態様を異ならせる。例えば、第１参照画像５２１がタップされる場合、再現領域５４１に表示された参加者情報５２１Ａの明度を、参加者情報５２３Ａの明度よりも高くする。なお、参加者情報５２１Ａの明度を変更することなく、参加者情報５２３Ａの明度を低くするようにしてもよい。また、明度を変更するのではなく、色を変更するようにしてもよい。これにより、ページに含まれる複数の参加者情報のうち、ユーザーが指示した参照画像に対応する参加者情報を、ユーザーに通知することができる。
【０１３７】
携帯情報装置２００のユーザーが、第１参照画像５２１、第２参照画像５２３のいずれかを、ユーザーが指で触れながら所定の速さで移動させるフリック操作をすると、携帯情報装置２００は、発表者切換操作を受け付け、サーバー３００に発表モード切換指示を送信するとともに、装置モードを参加モードに切り換える。発表モード切換指示は、ユーザーがフリックした参照画像に対応する参加者情報を入力したユーザーが操作する携帯情報装置の装置識別情報を含む。例えば、第１参照画像５２１を指示してフリック操作する場合には、参加者情報５２１Ａが入力された携帯情報装置２００Ａの装置識別情報を含む発表モード切換指示をサーバー３００に送信する。サーバー３００は、携帯情報装置２００から発表モード切換指示を受信すると、発表モード切換指示を携帯情報装置２００Ａに送信する。
【０１３８】
＜第２の参加者情報表示画面の変形例＞
第２の参加者情報表示画面は、ユーザーにより指定されたページごとに、そのページの画像と、そのページに対して参加者により入力された参加者情報と、その参加者情報に対応する参照画像とを含む。変形例における第２の参加者情報表示画面は、時間帯別に参加者情報を表示する。
【０１３９】
図１３は、変形例における第２の参加者情報表示画面の一例を示す図である。図１３に示す変形例における第２の参加者情報表示画面５５０は、携帯情報装置２００が、装置モードが発表モードの状態で、表示する場合の一例を示している。図１３を参照して、変形例における第２の参加者情報表示画面５４０は、図６に示した初期画面５０５と同様に、状態モード切換ボタン５０３と、装置モード切換ボタン５０５と、参加者情報表示ボタン５０７と、を含む。装置モード切換ボタン５０５は、反転表示されており、これにより装置モードが発表モードであることがユーザーに示される。また、参加者情報表示ボタン５０７は、反転表示されており、変形例における第２の参加者情報表示画面５４０が参加者情報を表示する画面であることがユーザーに示される。ここでは、１０分単位で入力された参加者情報を表示する場合を例に示している。
【０１４０】
変形例における第２の参加者情報表示画面５４０は、再現領域５４１，５４１Ａを含む。再現領域５４１は第１ページの画像に、１０分以内に第ｘページに対して入力された参加者情報５２１Ａ，５２３Ａを重畳した画像を含む。再現領域５４１Ａは第ｙページの画像に、１０分以内に第２ページに対して入力された参加者情報５５１Ａを重畳した画像を含む。
【０１４１】
再現領域５４１の右側に、参加者情報５２１Ａを入力したユーザーのユーザー識別情報５２１Ｃと、参加者情報５２３Ａを入力したユーザーのユーザー識別情報５２３Ｃと、が上下に並んで配置される。また、再現領域５４１の左側近傍に、再現領域５４１に表示されたページのページ識別情報である「ｘページ」が配置される。
【０１４２】
また、再現領域５４１Ａの右側に、参加者情報５５１Ａを入力したユーザーのユーザー識別情報５２１Ｃが配置される。また、再現領域５４１Ａの左側近傍に、再現領域５４１Ａに表示されたページのページ識別情報である「ｙページ」が配置される。
【０１４３】
さらに、１０分以内に入力された参加者情報を表示する領域の下方に、２０分以内で１０分以上の間に入力された参加者情報を表示する領域が、下方に続く。
【０１４４】
なお、ユーザーが指定した時間帯に入力された参加者情報のみを表示するようにしてもよい。例えば、会議の開催前に入力された参加者情報のみを表示するようにしてもよいし、会議の開催後に入力された参加者情報のみを表示するようにしてもよい。
【０１４５】
また、ユーザーが変形例における第２の参加者情報表示画面５２０に含まれるユーザー識別情報を、ユーザーがタップすれば、携帯情報装置２００は、タップされたユーザー識別情報で特定されるユーザーにより入力された参加者情報を、他の参照情報と表示態様を異ならせる。例えば、ユーザー識別情報５２１Ｃがタップされる場合、再現領域５４１に表示された参加者情報５２１Ａの明度を、参加者情報５２３Ａの明度よりも高くする。なお、参加者情報５２１Ａの明度を変更することなく、参加者情報５２３Ａの明度を低くするようにしてもよい。また、明度を変更するのではなく、色を変更するようにしてもよい。これにより、ｘページ中の複数の参加者情報５２１Ａ、５２３Ａのうち、ユーザーが指示したユーザー識別情報に対応する参加者情報５２１Ａを、ユーザーに通知することができる。
【０１４６】
また、ユーザー識別情報５２１Ｃ、５２３Ｃのいずれかを、ユーザーが指で触れながら所定の速さで移動させるフリック操作をすると、携帯情報装置２００は、発表者切換操作を受け付け、サーバー３００に発表モード切換指示を送信するとともに、装置モードを参加モードに切り換える。発表モード切換指示は、ユーザーがフリックしたユーザー識別情報で特定されるユーザーが操作する携帯情報装置の装置識別情報を含む。例えば、ユーザー識別情報５２１Ｃを指示してフリック操作する場合には、ユーザー識別情報５２１Ｃのユーザーに割り当てられた装置の装置識別情報を含む発表モード切換指示をサーバー３００に送信する。サーバー３００は、携帯情報装置２００から発表モード切換指示を受信すると、発表モード切換指示を装置識別情報で特定される携帯情報装置２００Ａに送信する。
【０１４７】
図１４は、モード切換処理の流れの一例を示すフローチャートである。モード切換処理は、携帯情報装置２００，２００Ａ〜２００Ｄそれぞれが備えるＣＰＵが、表示制御プログラムを実行することにより、ＣＰＵによって実行される処理である。ここでは、携帯情報装置２００が備えるＣＰＵ２０１が表示制御プログラムを実行する場合を例に説明する。図１４を参照して、ＣＰＵ２０１は、サーバー３００に接続する（ステップＳ０１）。ＣＰＵ２０１が表示制御プログラムを実行すると、無線ＬＡＮＩ／Ｆ２０７を制御して、サーバー３００との間で通信経路を確立する。サーバー３００のネットワークアドレスを予めフラッシュメモリ２０４に記憶しておき、そのネットワークアドレスを用いてサーバー３００と接続する。ネットワークアドレスは、例えば、ＩＰ（Ｉｎｔｅｒｎｅｔ  Ｐｒｏｔｏｃｏｌ）またはＵＲＬ（Ｕｎｉｆｏｒｍ  Ｒｅｓｏｕｒｃｅ  Ｌｏｃａｔｏｒ）である。
【０１４８】
次のステップＳ０２においては、ユーザーにより会議が選択されるまで待機状態となり（ステップＳ０２でＮＯ）、会議が選択されると（ステップＳ０２でＹＥＳ）、処理をステップＳ０３に進める。サーバー３００から１以上の会議それぞれの開催日時を定めたスケジュールをダウンロードし、スケジュールで定められた１以上の会議のうちから１つを選択するユーザーによる操作を受け付けると、会議が選択されたと判断する。
【０１４９】
ステップＳ０３においては、参加申請する。具体的には、無線ＬＡＮＩ／Ｆ２０７を制御して、参加申請信号をサーバー３００に送信する。参加申請信号は、ステップＳ０２においてユーザーにより選択された会議を識別するための会議識別情報を含む。なお、サーバー３００がユーザー認証を求める場合には、ユーザーにより入力される認証情報をサーバー３００に送信する。認証情報は、例えば、ユーザーＩＤとパスワードである。
【０１５０】
次のステップＳ０４においては、発表データを受信する。サーバー３００によって参加申請が認められる場合、サーバー３００は参加申請信号に含まれる会議識別情報で特定される会議に関連付けられた発表データを返信するので、無線ＬＡＮＩ／Ｆ２０７を制御して、サーバー３００から送信される発表データを受信する。発表データを受信したならば処理をステップＳ０５に進めるが、そうでなければ処理をステップＳ０２に戻す。
【０１５１】
ステップＳ０５においては、装置モードを参加モードに設定し、処理をステップＳ０６に進める。ステップＳ０６においては、状態モードを同期モードに設定し、処理をステップＳ０７に進める。ステップＳ０７においては、発表者申請操作を受け付けたか否かを判断する。操作部２０６が発表者となることを指示するユーザーによる操作を受け付けたならば処理をステップＳ０８に進めるが、そうでなければ処理をステップＳ２５に進める。
【０１５２】
ステップＳ２５においては、サーバー３００から参照情報を受信したか否かを判断する。無線ＬＡＮＩ／Ｆ２０７がサーバー３００から参照情報および装置識別情報を受信すると、処理をステップＳ２６に進めるが、そうでなければ処理をステップＳ２７に進める。ステップＳ２６においては、受信された参照情報と、その参照情報とともに受信された装置識別情報等を関連付け、処理をステップＳ２７に進める。
【０１５３】
ステップＳ２７においては、発表モード切換指示をサーバー３００から受信したか否かを判断する。発表モード切換指示を受信したならば処理をステップＳ２８に進めるが、そうでなければ処理をステップＳ３３に進める。ステップＳ２８においては、装置モードを発表モードに切り換え、処理をステップＳ２９に進める。
【０１５４】
ステップＳ２９においては、装置モードを発表モードに切り換えてから所定時間が経過したか否かを判断する。所定時間経過したならば処理をステップＳ３０に進めるが、そうでなければ処理をステップＳ３１に進める。ステップＳ３０においては、装置モードを参加モードに切り換え、処理をステップＳ３３に進める。
【０１５５】
ステップＳ３１においては、参加モード切換指示をサーバー３００から受信したか否かを判断する。参加モード切換指示を受信したならば処理をステップＳ３２に進めるが、そうでなければ処理をステップＳ２９に戻す。ステップＳ３２においては、装置モードを参加モードに切り換え、処理をステップＳ３３に進める。
【０１５６】
ステップＳ３３においては、参照情報表示操作を受け付けたか否かを判断する。表示部２０５に参照情報表示操作が割り当てられたボタンを表示し、タッチパネル２０６Ｂによってボタン内の位置が検出される場合に、参照情報表示操作を受け付ける。参照情報表示操作を受け付けたならば処理をステップＳ３４に進めるが、そうでなければ処理をステップＳ３５に進める。ステップＳ３４においては、参照情報表示処理を実行し、処理をステップＳ１５に進める。参照情報表示処理の詳細は後述する。
【０１５７】
ステップＳ３５においては、参加終了指示操作を受け付けたか否かを判断する。会議への参加の終了を指示する操作を受け付けたならば処理を終了するが、そうでなければ処理をステップＳ２５に戻す。
【０１５８】
一方、ステップＳ０８においては、サーバー３００に発表者申請する。具体的には、無線ＬＡＮＩ／Ｆ２０７を制御して、サーバー３００に発表者申請信号を送信する。サーバー３００は、携帯情報装置２００から発表者申請を受信する場合、その会議に参加を認めた参加者のいずれも発表者に設定していないことを条件に、発表者申請を認める。サーバー３００は、発表者申請を認める場合、許可信号を返信するので、ステップＳ０９においては、無線ＬＡＮＩ／Ｆ２０７がサーバー３００から許可信号を受信したか否かを判断する。サーバー３００により発表者申請が認められて許可信号を受信する場合、処理をステップＳ１０に進めるが、そうでなければ処理をステップＳ２５に進める。ステップＳ１０においては、装置モードを発表モードに切り換え、処理をステップＳ１１に進める。
【０１５９】
ステップＳ１１においては、サーバー３００から参照情報を受信したか否かを判断する。無線ＬＡＮＩ／Ｆ２０７がサーバー３００から参照情報および装置識別情報を受信すると、処理をステップＳ１２に進めるが、そうでなければ処理をステップＳ１３に進める。ステップＳ１２においては、受信された参照情報と、その参照情報とともに受信された装置識別情報等を関連付け、処理をステップＳ１３に進める。
【０１６０】
ステップＳ１３においては、参照情報表示操作を受け付けたか否かを判断する。表示部２０５に参照情報表示操作が割り当てられたボタンを表示し、タッチパネル２０６Ｂによってボタン内の位置が検出される場合に、参照情報表示操作を受け付ける。参照情報表示操作を受け付けたならば処理をステップＳ１４に進めるが、そうでなければ処理をステップＳ２４に進める。ステップＳ１４においては、参照情報表示処理を実行し、処理をステップＳ１５に進める。
【０１６１】
ここで、参照情報表示処理について説明する。図１５および図１６は、参照情報表示処理の流れの一例を示すフローチャートである。参照情報表示処理は、図１４のステップＳ１４またはステップＳ３４において実行される処理である。図１５および図１６を参照して、ＣＰＵ２０１は、ページ指定操作を受け付けたか否かを判断する（ステップＳ１０１）。ページ指定操作を受け付けたならば処理をステップＳ１０２に進めるが、そうでなければ処理をステップＳ１１５に進める。ページ指定操作は、発表データに含まれる複数のページのいずれか１つを指定する操作である。
【０１６２】
ステップＳ１０２においては、サーバー３００から受信された参照情報のうちから、ステップＳ１０１において指定されたページの参照情報を抽出する。参照情報は、ページ識別情報と、位置と、参加者情報とを含む。サーバー３００から受信された参照情報のうちから、ステップＳ１０１において指定されたページのページ識別情報を含む参照情報を抽出する。
【０１６３】
次のステップＳ１０３においては、発表データに含まれる複数ページうちステップＳ１０１において指定されたページの画像を表示部２０５に表示し、処理をステップＳ１０４に進める。ステップＳ１０４においては、ステップＳ１０２において抽出された1以上の参照情報のうちから処理対象となる参照情報を選択し、処理をステップＳ１０５に進める。ステップＳ１０５においては、処理対象に選択された参照情報に含まれる参加者情報を、ステップＳ１０３において表示されたページの画像に、参照情報に含まれる位置で特定される位置で重畳して表示し、処理をステップＳ１０６に進める。
【０１６４】
ステップＳ１０６においては、参照画像を生成する。発表データに含まれる複数ページうちステップＳ１０１において指定されたページの画像から参照情報に含まれる位置で特定される領域を部分画像として抽出し、抽出した部分画像に、参照情報に含まれる位置で重畳することにより参照画像を生成する。次のステップＳ１０７においては、生成された参照画像を表示部２０５に表示し、処理をステップＳ１０８に進める。参照画像を、ステップＳ１０３において表示されたページの画像に並べて表示する。
【０１６５】
次のステップＳ１０８においては、処理対象に選択された参照情報に対応するユーザーを特定する。参照情報に関連付けられた装置識別情報を特定し、装置識別情報で特定される装置を操作するユーザーに割り当てられたユーザーを特定する。携帯情報装置２００，２００Ａ〜２００Ｄそれぞれに対して、使用するユーザーを関連付けばよい。次のステップＳ１０９においては、特定されたユーザーのユーザー識別情報を、ステップＳ１０７において表示された参照画像に関連付けて表示部２０５に表示し、処理をステップＳ１１０に進める。例えば、参照画像に重畳してユーザー識別情報を表示する。また、参照画像の近傍にユーザー識別情報を表示する。
【０１６６】
ステップＳ１１０においては、ステップＳ１０２において抽出された参照情報のうちでステップＳ１０４において未だ処理対象に選択されていない参照情報が存在するか否かを判断する。未選択の参照情報が存在するならば処理をステップＳ１０４に戻すが、そうでなければ処理をステップＳ１１１に進める。
【０１６７】
ステップＳ１１１においては、参照画像を指示する操作を受け付けたか否かを判断する。ステップＳ１０７において表示部２０５に表示された1以上の参照画像のいずれかを指示するユーザーによる操作を、操作部２０６が受け付けたならば処理をステップＳ１１２に進めるが、そうでなければ処理をモード切換処理に戻す。
【０１６８】
ステップＳ１１２においては、ステップＳ１０５において表示部２０５に表示された参加者情報のうち、ステップＳ１１１においてユーザーにより指示された参照画像に対応する参加者情報を特定する。そして、特定された参加者情報の表示態様を他の参加者情報の表示態様と異ならせる（ステップＳ１１３）。特定された参加者情報の明度を、他の参加者情報の明度よりも高くする。なお、特定された参加者情報の明度を変更することなく、他の参加者情報の明度を低くするようにしてもよい。また、明度を変更するのではなく、色を変更するようにしてもよい。
【０１６９】
次のステップＳ１１４においては、参加者を特定し、処理をモード切換処理に戻す。ステップＳ１１１においてユーザーにより指示された参照画像に対応する参加者情報を含む参照情報に関連付けられた装置識別情報を特定し、さらに、特定された装置識別情報で特定される装置に割り当てられたユーザーを特定する。
【０１７０】
一方、ステップＳ１１５においては、ページ単位表示モード指定操作を受け付けたか否かを判断する。ページ単位表示モード指定操作を受け付けたならば処理をステップＳ１１６に進めるが、そうでなければ処理をステップＳ１２７に進める。ページ単位表示モード指定操作は、発表データに含まれる複数のページごとに参加者情報の表示を指示する操作である。
【０１７１】
ステップＳ１１６においては、発表データに含まれる複数ページのうちから1つを処理対象に選択する。ページ番号の若いものから順に選択するようにすればよい。次のステップＳ１１７においては、サーバー３００から受信された参照情報のうちから、ステップＳ１１６において選択されたページの参照情報を抽出する。参照情報は、ページ識別情報と、位置と、参加者情報とを含む。サーバー３００から受信された参照情報のうちから、ステップＳ１１６において選択されたページのページ識別情報を含む参照情報を抽出する。
【０１７２】
次のステップＳ１１８においては、発表データに含まれる複数ページうちステップＳ１１６において選択されたページの画像を表示部２０５に表示し、処理をステップＳ１１９に進める。ステップＳ１１９においては、ステップＳ１１７において抽出された1以上の参照情報のうちから処理対象となる参照情報を選択し、処理をステップＳ１２０に進める。ステップＳ１２０においては、処理対象に選択された参照情報に含まれる参加者情報を、ステップＳ１１８において表示されたページの画像に、参照情報に含まれる位置で特定される位置で重畳して表示し、処理をステップＳ１２１に進める。
【０１７３】
ステップＳ１２１においては、ステップＳ１１９において処理対象に選択された参照情報に対応するユーザーを特定する。参照情報に関連付けられた装置識別情報を特定し、装置識別情報で特定される装置に割り当てられたユーザーを特定する。次のステップＳ１２２においては、特定されたユーザーのユーザー識別情報を、表示部２０５に表示し、処理をステップＳ１２３に進める。例えば、ステップＳ１２０において表示された参加者情報の近傍にユーザー識別情報を表示する。
【０１７４】
ステップＳ１２３においては、ステップＳ１１７において抽出された参照情報のうちでステップＳ１１９において未だ処理対象に選択されていない参照情報が存在するか否かを判断する。未選択の参照情報が存在するならば処理をステップＳ１１９に戻すが、そうでなければ処理をステップＳ１２４に進める。ステップＳ１２４においては、発表ページに含まれる複数ページのうちステップＳ１１６において処理対象に選択されていないページが存在するか否かを判断する。未選択のページが存在するならば処理をステップＳ１１６に戻すが、そうでなければ処理をステップＳ１２５に進める。
【０１７５】
ステップＳ１２５においては、ユーザー識別情報指示操作を受け付けたか否かを判断する。ステップＳ１２２において表示部２０５に表示された1以上のユーザー識別情報のいずれかを指示するユーザーによる操作を、操作部２０６が受け付けたならば処理をステップＳ１２６に進めるが、そうでなければ処理をモード切換処理に戻す。ステップＳ１２６においては、ステップＳ１２５においてユーザーにより指示されたユーザー識別情報で特定されるユーザーを特定し、処理をモード切換処理に戻す。
【０１７６】
処理がステップＳ１２７に進む場合、ページ指定操作、ページ単位表示モード指定操作の何れも受け付けられない場合である。ステップＳ１２７〜ステップＳ１３３の処理は、ステップＳ１０４〜ステップＳ１１０の処理と同じである。従ってここでは説明を繰り返さない。ステップＳ１０４〜ステップＳ１１０の処理は、ユーザーにより指定されたページに対して入力された参加者情報を表示するのに対して、ステップＳ１２７〜ステップＳ１３３においては、ページに関係なく、発表データに含まれる複数ページのいずれかに対して入力された参加者情報を表示する点で異なる。
【０１７７】
ステップＳ１３４においては、参照画像を指示する操作を受け付けたか否かを判断する。ステップＳ１３０において表示部２０５に表示された1以上の参照画像のいずれかを指示するユーザーによる操作を、操作部２０６が受け付けたならば処理をステップＳ１３６に進めるが、そうでなければ処理をモード切換処理に戻す。
【０１７８】
ステップＳ１３５においては、参加者を特定し、処理をモード切換処理に戻す。ステップＳ１３４においてユーザーにより指示された参照画像に対応する参加者情報を含む参照情報に関連付けられた装置識別情報を特定し、さらに、特定された装置識別情報で特定される装置に割り当てられたユーザーを特定する。
【０１７９】
図１４に戻って、ステップＳ１５においては、発表者切換操作を受け付けたか否かを判断する。表示部２０５に発表者切換操作が割り当てられたボタンを表示し、タッチパネル２０６Ｂによってボタン内の位置が検出される場合に、発表者切換操作を受け付ける。発表者切換操作を受け付けたならば処理をステップＳ１６に進めるが、そうでなければ処理をステップＳ２４に進める。
【０１８０】
ステップＳ１６においては、ステップＳ１４において実行される参照情報表示処理において、次に発表者となる参加者が特定されているか否かを判断する。次に発表者となる参加者が特定されているならば処理をステップＳ１７に進めるが、そうでなければ処理をステップＳ２４に進める。
【０１８１】
ステップＳ１７においては、無線ＬＡＮＩ／Ｆ２０７を介してサーバー３００に発表モード切換指示を送信し、処理をステップＳ１８に進める。発表モード切換指示は、携帯情報装置２００，２００Ａ〜２００ＤのうちステップＳ１６において特定されている参加者が使用する装置の装置識別情報を含む。ステップＳ１８においては、装置モードを参加モードに一時的に切り換え、処理をステップＳ１９に進める。ステップＳ１９においては、装置モードを参加モードに切り換えてから所定時間が経過したか否かを判断する。所定時間経過したならば処理をステップＳ２０に進めるが、そうでなければ処理をステップＳ２１に進める。ステップＳ２０においては、装置モードを発表モードに切り換え、処理をステップＳ２４に進める。
【０１８２】
ステップＳ２１においては、参加者切換操作を受け付けたか否かを判断する。表示部２０５に参加者切換操作が割り当てられたボタンを表示し、タッチパネル２０６Ｂによってボタン内の位置が検出される場合に、参加者切換操作を受け付ける。参加者切換操作を受け付けたならば処理をステップＳ２２に進めるが、そうでなければ処理をステップＳ１９に戻す。
【０１８３】
ステップＳ２２においては、無線ＬＡＮＩ／Ｆ２０７を制御して、サーバー３００に参加モード切換指示を送信し、処理をステップＳ２３に進める。参加モード切換指示は、携帯情報装置２００，２００Ａ〜２００ＤのうちステップＳ１６において特定されている参加者が使用する装置の装置識別情報を含む。ステップＳ２３においては、装置モードを発表モードに切り換え、処理をステップＳ２４に進める。
【０１８４】
ステップＳ２４においては、参加終了指示操作を受け付けたか否かを判断する。会議への参加の終了を指示する操作を受け付けたならば処理を終了するが、そうでなければ処理をステップＳ１１に戻す。
【０１８５】
図１７は、発表モード表示処理の流れの一例を示すフローチャートである。発表モード表示処理は、携帯情報装置２００，２００Ａ〜２００Ｄそれぞれが備えるＣＰＵが、表示制御プログラムを実行することにより、ＣＰＵによって実行される処理である。また、発表モード表示処理は、図１４に示したモード切換処理と並列で実行される。ここでは、携帯情報装置２００が備えるＣＰＵ２０１が表示制御プログラムを実行し、発表モード表示処理を実行する場合を例に説明する。
【０１８６】
図１６を参照して、ＣＰＵ２０１は、発表ページを表示する。図１４のステップＳ０４において、サーバー３００から発表データが受信されている。ＣＰＵ２０１は、発表データに含まれる複数ページのうち1つを発表ページに設定し、発表ページを表示部２０５に表示する。発表モード表示処理が実行されて最初にステップＳ４１が実行される場合には、発表ページに含まれる複数ページのうち最初のページを発表ページに設定する。
【０１８７】
ステップＳ４２においては、発表者情報を受け付けたか否かを判断する。携帯情報装置２００を操作するユーザーが操作部２０６に入力する発表者情報を受け付ける。発表者情報を受け付けたならば処理をステップＳ４３に進めるが、そうでなければ処理をステップＳ４５に進める。発表者情報は、マウスポインタ、文字列、および手書きで描かれた手書の描画を含む。
【０１８８】
ステップＳ４３においては、受け付けられた発表者情報を表示部２０５に表示し、処理をステップＳ４４に進める。ステップＳ４４においては、無線ＬＡＮＩ／Ｆ２０７を制御して、サーバー３００に表示指示情報を送信する。表示指示情報は、ステップＳ４１において表示された発表ページのページ識別情報と、発表者表示情報とを含む。発表者表示情報は、発表者情報を表示するために用いられる情報であり、発表者情報がマウスポインタの場合には、発表ページ中の位置とマウスポインタの画像とを含み、発表者情報が文字情報の場合には、発表ページ中で文字情報が表示される領域を示す情報と文字列とを含み、発表者情報が描画情報の場合には、発表ページ中で描画の座標を含む。
【０１８９】
次のステップＳ４５においては、参照情報を受信したか否かを判断する。無線ＬＡＮＩ／Ｆ２０７がサーバー３００から参照情報および装置識別情報を受信したならば処理をステップＳ４６に進めるが、そうでなければ処理をステップＳ４７に進める。参照情報は、ページ識別情報と参加者表示情報とを含む。参加者表示情報は、参加者情報を表示するために用いられる情報であり、参加者情報がマウスポインタの場合には、ページ中の位置とマウスポインタの画像とを含み、参加者情報が文字情報の場合には、ページ中で文字情報が表示される領域を示す情報と文字列とを含み、参加者情報が描画情報の場合には、ページ中で描画の座標を含む。
【０１９０】
次のステップＳ４６においては、リアルタイム表示処理を実行し、処理をステップＳ４２に戻す。リアルタイム表示処理は、ステップＳ４５において受信された参照情報に含まれるページ識別情報が、ステップＳ４１において表示された発表ページのページ識別情報と同じ場合に、参照情報に含まれる参加者表示情報に基づいて、参加者情報を表示部２０５に表示されている発表ページに重畳して表示する処理である。
【０１９１】
ステップＳ４７においては、ページ切換指示操作を受け付けたか否かを判断する。操作部２０６がユーザーにより入力されるページ切換指示操作を受け付けたならば処理をステップＳ４８に進めるが、そうでなければ処理をステップＳ４２に戻す。ステップＳ４８においては、ページ切換指示操作により特定されるページを発表ページに設定し、処理をステップＳ４１に戻す。ステップＳ４１においては、切換後のページを発表ページとし、そのページの画像を表示部２０５に表示する。
【０１９２】
図１８は、参加モード表示処理の流れの一例を示すフローチャートである。参加モード表示処理は、携帯情報装置２００，２００Ａ〜２００Ｄそれぞれが備えるＣＰＵが、表示制御プログラムを実行することにより、ＣＰＵによって実行される処理である。また、参加モード表示処理は、図１４に示したモード切換処理と並列で実行される。ここでは、携帯情報装置２００Ａが備えるＣＰＵ２０１が表示制御プログラムを実行し、参加モード表示処理を実行する場合を例に説明する。図１８を参照して、ＣＰＵ２０１は、表示指示情報を受信したか否かを判断する（ステップＳ５１）。無線ＬＡＮＩ／Ｆ２０７がサーバー３００から表示指示情報を受信したならば処理をステップＳ５２に進めるが、そうでなければ処理をステップＳ６１に進める。表示指示情報は、発表ページのページ識別情報を含む。また、表示指示情報は、発表者表示情報を含む場合がある。発表者表示情報は、発表者情報がマウスポインタの場合には、発表ページ中の位置とマウスポインタの画像とを含み、発表者情報が文字情報の場合には、発表ページ中で文字情報が表示される領域を示す情報と文字列とを含み、発表者情報が描画情報の場合には、発表ページ中で描画の座標を含む。
【０１９３】
ステップＳ５２においては、受信された表示指示情報が発表者表示情報を含むか否かを判断する。表示指示情報が発表者表示情報を含まなければ処理をステップＳ５３に進めるが、発表者表示情報を含むならば処理をステップＳ５５に進める。ステップＳ５３においては、発表ページを特定する。サーバー３００から受信される発表データに含まれる複数ページのうち発表指示情報に含まれるページ識別情報で特定されるページを発表ページに特定する。次のステップＳ５４においては、特定された発表ページの画像を表示部２０５に表示し、処理をステップＳ６０に進める。
【０１９４】
ステップＳ５５においては、発表者情報に対応するページを特定する。発表指示情報に含まれるページ識別情報で特定されるページを、発表者情報に対応するページに特定する。次のステップＳ５６においては、発表者情報に対応するページが発表ページと同一ページが否かを判断する。ここでは発表ページは、その時点で表示部２０５に表示されているページである。発表者情報に対応するページが発表ページと同一ページならば処理をステップＳ５９に進めるが、そうでなければ処理をステップＳ５７に進める。
【０１９５】
ステップＳ５７においては、発表者情報に対応するページを発表ページに設定し、処理をステップＳ５８に進める。ステップＳ５８においては、発表ページの画像を表示部２０５に表示し、処理をステップＳ５９に進める。
【０１９６】
ステップＳ５９においては、ステップＳ５１において受信された表示指示情報に含まれる発表者表示情報にしたがって発表者情報を表示部２０５に表示し、処理をステップＳ６０に進める。発表者表示情報に含まれる発表者情報がマウスポインタの場合には、表示部２０５に表示されている発表ページの画像中で、発表者表示情報に含まれる発表ページ中の位置に、発表者表示情報に含まれるマウスポインタの画像を、表示する。発表者情報が文字情報の場合には、表示部２０５に表示されている発表ページの画像中で、発表者表示情報に含まれる領域を示す情報で特定される領域に発表者表示情報に含まれる文字列を表示する。発表者情報が描画情報の場合には、表示部２０５に表示されている発表ページの画像中で、発表者表示情報に含まれる座標に描画を表示する。
【０１９７】
ステップＳ６０においては、状態モード切換指示を受け付けたか否かを判断する。表示部２０５に状態モード切換指示を受け付けるための状態モード切換ボタンを表示し、操作部２０６が状態モード切換ボタンを指示する操作を受け付けると、状態モード切換指示を受け付ける。状態モード切換指示を受け付けたならば処理をステップＳ６１に進めるが、そうでなければ処理をステップＳ７２に進める。
【０１９８】
ステップＳ６１においては、状態モードを非同期モードに切り換え、処理をステップＳ６２に進める。ステップＳ６２においては、状態モード切換指示を受け付けたか否かを判断する。状態モード切換指示を受け付けたならば処理をステップＳ６３に進めるが、そうでなければ処理をステップＳ６５に進める。ステップＳ６３においては、状態モードを同期モードに切り換え、処理をステップＳ６４に進める。ステップＳ６４においては、発表ページの画像を表示部２０５に表示し、処理をステップＳ７２に進める。ステップＳ６１において状態モードが非同期モードに切り換える段階で、発表ページのページ識別情報を記憶しておき、そのページ識別情報で特定される発表ページの画像を表示する。
【０１９９】
ステップＳ７２においては、参加終了指示操作を受け付けたか否かを判断する。会議への参加の終了を指示する操作を受け付けたならば処理を終了するが、そうでなければ処理をステップＳ５１に戻す。
【０２００】
一方、ステップＳ６５においては、ページ切換指示操作を受け付けたか否かを判断する。操作部２０６がユーザーにより入力されるページ切換指示操作を受け付けたならば処理をステップＳ６６に進めるが、そうでなければ処理をステップＳ６８に進める。ステップＳ６６においては、ページ切換指示操作により特定されるページを特定し、処理をステップＳ６７に進める。ステップＳ６７においては、特定されたページの画像を表示部２０５に表示し、処理をステップＳ６２に戻す。
【０２０１】
ステップＳ６８においては、参加者情報を受け付けたか否かを判断する。携帯情報装置２００Ａを操作するユーザーが操作部２０６に入力する参加者情報を受け付ける。参加者情報を受け付けたならば処理をステップＳ６９に進めるが、そうでなければ処理をステップＳ６２に戻す。参加者情報は、マウスポインタ、文字列、および手書きで描かれた手書の描画を含む。
【０２０２】
ステップＳ６９においては、受け付けられた参加者情報を表示部２０５に表示し、処理をステップＳ７０に進める。ステップＳ７０においては、参照情報を生成し、処理をステップＳ７１に進める。参照情報は、参加者情報が受け付けられる時点で表示部２０５に表示されているページのページ識別情報と参加者表示情報とを含む。参加者表示情報は、参加者情報がマウスポインタの場合には、ページ中の位置とマウスポインタの画像とを含み、参加者情報が文字情報の場合には、ページ中で文字情報が表示される領域を示す情報と文字列とを含み、参加者情報が描画情報の場合には、ページ中で描画の座標を含む。
【０２０３】
ステップＳ７１においては、無線ＬＡＮＩ／Ｆ２０７を制御して、サーバー３００に参照情報を送信し、処理をステップＳ６２に戻す。
【０２０４】
なお、本実施の形態においては、携帯情報装置２００，２００Ａ〜２００Ｄがサーバー３００を介して通信するようにしたが、サーバー３００の機能を、携帯情報装置２００，２００Ａ〜２００Ｄのいずれかに持たせるようにしてもよい。この場合には、サーバー３００は、不要である。また、携帯情報装置２００，２００Ａ〜２００Ｄそれぞれが、参加装置と発表装置とがいずれであるかを他の装置に通知するようにして、発表装置が参加装置のすべてに表示指示情報を送信し、参加装置が、発表装置と他の参加装置のすべてに参照情報を送信するようにしてもよい。
【０２０５】
以上説明したように、本実施の形態における会議システム１は、サーバー３００と５台の携帯情報装置２００，２００Ａ〜２００Ｄと、を含み、携帯情報装置２００，２００Ａ〜２００Ｄそれぞれにおいて、例えば携帯情報装置２００において、他の携帯情報装置２００Ａ〜２００Ｄのいずれかで、それを操作する参加者により入力された参加者情報を表示し、参加者情報をそれぞれ識別するための参照識別情報として、参加者のユーザー識別情報を表示する。このため、１以上の参加者によって入力される参加者情報を、それを入力した参加者が誰であるかを、携帯情報装置２００を操作するユーザーに通知することができる。
【０２０６】
また、携帯情報装置２００，２００Ａ〜２００Ｄそれぞれにおいて、例えば携帯情報装置２００は、他の携帯情報装置２００Ａ〜２００Ｄのいずれかで入力された参加者情報を、それが入力されたページの画像うち参加者情報が入力された位置を含む部分画像に重畳した参照画像を並べて表示する。このため、参加者情報が配置されるページ中の位置を明確にしつつ１以上の参加者情報を表示するスペースを小さくすることができる。
【０２０７】
また、例えば、携帯情報装置２００は、表示鵜２０５に表示された１以上の参加者情報うちから１つがユーザーにより選択されることに応じて、選択された参加者情報が含まれる参照情報に含まれるページ識別情報で特定されるページの画像に、参照情報に含まれる位置で特定される領域で参照情報に含まれる参加者情報を重畳した画像を表示する。このため、１以上の参加者情報それぞれが配置されるページ中の位置を明確にすることができる。
【０２０８】
また、例えば、携帯情報装置２００は、発表データに含まれる複数ページのうちユーザーにより選択されたページの画像に、そのページに対して他の携帯情報装置２００Ａ〜２００Ｄのいずれかに入力された参加者情報を重畳した画像を表示する。このため、発表データに含まれるページごとに、他の携帯情報装置２００Ａ〜２００Ｄのいずれかで入力された参加者情報を表示することができる。
【０２０９】
また、例えば、携帯情報装置２００は、発表データに含まれる複数ページのうちユーザーにより選択されたページに対して、他の携帯情報装置２００Ａ〜２００Ｄのいずれかで入力された参加者情報を、そのページの画像うち参加者情報が入力された位置を含む部分画像に重畳した参照画像を並べて表示する。このため、ページごとに、参照画像が並べて表示されるので、参加者情報が配置されるページ中の位置を明確にしつつ１以上の参加者情報を表示するスペースを小さくすることができる。
【０２１０】
また、例えば、携帯情報装置２００は、ページの画像に重畳して表示された１以上の参加者情報にそれぞれ対応して１以上のユーザー識別情報を表示し、１以上のユーザー識別情報のうち１つがユーザーにより指示されると、指示されたユーザー識別情報に対応する参加者情報を他の参加者情報と異なる表示態様で表示する。このため、ユーザー識別情報に対応する参加者情報をユーザーに示すことができる。
【０２１１】
また、例えば、携帯情報装置２００は、発表モードにおいて、発表ページの画像を表示している最中に、他の携帯情報装置２００Ａ〜２００Ｄのいずれかによって発表ページと同じページの参照情報が生成される場合、表示中の発表ページの画像に、参照情報に含まれる参加者情報を重畳した画像を表示する。このため、参加者情報を直ちに発表者に通知することができる。
【０２１２】
また、例えば、携帯情報装置２００は、発表モードにおいて、表示された１以上の参加者情報うちから１つが発表者により選択される場合、選択された参加者情報が含まれる参照情報を生成した参加装置に装置モードを所定の期間だけ発表モードへの切り換えを指示するとともに、装置モードを参加モードに切り換える。このため、他の携帯情報装置２００Ａ〜２００Ｄのうち、ユーザーが指定した参加者装置が入力された装置を所定の期間だけ発表モードに切り換えることができ、その装置を操作するユーザーに発表権限を所定の期間だけ移譲することができる。
【０２１３】
また、例えば、携帯情報装置２００は、発表モードにおいて、例えば携帯情報装置２００に所定の期間だけ発表権限を移譲した場合、所定の期間が経過する前に、ユーザーによる指示に応じて携帯情報装置２００Ａに装置モードを参加モードへの切り換えを指示するとともに、装置モードを発表モードに切り換える。このため、携帯情報装置２００Ａを操作するユーザーに発表権限を移譲した後に、発表権限を取り戻すことができる。
【０２１４】
なお、上述した実施の形態においては、電子端末の一例として携帯情報装置２００、２００Ａ〜２００Ｄを例に説明したが、図１４〜図１８に示した処理を、携帯情報装置２００、２００Ａ〜２００Ｄそれぞれに実行させる表示制御方法、また、その表示制御方法を携帯情報装置２００、２００Ａ〜２００Ｄそれぞれが備えるＣＰＵ２０１に実行させる表示制御プログラムとして発明を捉えることができるのは言うまでもない。
【０２１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
＜付記＞
（１）前記複数の電子端末のうち前記装置モードが発表モードに切り換えられた発表装置は、前記複数の電子端末からアクセス可能に設定された発表データに含まれる複数ページのうち前記発表装置を操作する発表者により指定された発表ページの画像を表示する発表ページ表示手段と、
前記発表ページの画像が表示されている間に前記情報受付手段により受け付けられた、当該発表装置を操作する発表者により入力された発表者情報を表示する発表者情報表示手段と、を備え、
前記複数の電子端末のうち前記装置モードが参加モードに切り換えられた参加装置は、さらに、前記発表装置における表示に同期する同期モードと、同期しない非同期モードとのいずれかに状態モードを切り換える状態モード切換手段と、
前記状態モードが同期モードにおいて、前記発表装置により表示されている発表ページの画像および前記発表者情報を表示する同期表示制御手段と、をさらに備え、
前記指定ページ表示手段は、前記状態モードが非同期モードにおいて、前記指定ページの画像を表示し、
前記参照情報生成手段は、前記状態モードが非同期モードにおいて、前記参照情報を生成する、請求項１に記載の会議システム。
（２）  前記発表モードにおいて、他の１以上の電子端末との間で共有可能に設定された発表データに含まれる複数ページのうちユーザーにより指定された発表ページの画像を表示する発表ページ表示手段と、
前記発表ページの画像が表示されている間に前記情報受付手段により受け付けられた情報を発表者情報として表示する発表者情報表示手段と、
前記参加モードにおいて、前記他の１以上の電子端末のうち装置モードが発表モードの発表装置における表示に同期する同期モードと、同期しない非同期モードとのいずれかに状態モードを切り換える状態モード切換手段と、
前記状態モードが同期モードに切り換えられている場合、前記発表装置により表示されている発表ページの画像および発表者情報を表示する同期表示制御手段と、をさらに備え、
前記指定ページ表示手段は、前記状態モードが非同期モードに切り換えられている場合に、前記指定ページの画像を表示し、
前記参照情報生成手段は、前記状態モードが非同期モードに切り換えられている場合に、前記参照情報を生成する、請求項２に記載の電子端末。
【符号の説明】
【０２１６】
１  会議システム、２，２Ａ  ネットワーク、５  インターネット、２００，２００Ａ，２００Ｂ，２００Ｃ，２００Ｄ  携帯情報装置、２０１  ＣＰＵ、２０２  ＲＯＭ、２０３  ＲＡＭ、２０４  フラッシュメモリ、２０５  表示部、２０６  操作部、２０６Ａ  メインキー、２０６Ｂ  タッチパネル、２０７  無線ＡＬＮＩ／Ｆ、２０８  外部記憶装置、２０８Ａ  ＣＤ−ＲＯＭ、３００  サーバー、３０１  ＣＰＵ、３０２  ＲＯＭ、３０３  ＲＡＭ、３０４  ＨＤＤ、３０５  通信部、３０６  表示部、３０７  操作部、３０８  外部記憶装置、３０９  ＣＤ−ＲＯＭ、２１  情報受付部、２３  データ取得部、２５  発表者情報表示部、２７  発表ページ表示部、２９  表示指示情報送信部、３１  同期表示制御部、３３  指示ページ表示部、３３  指定ページ表示部、３５  参加者情報表示部、３７  表示指示情報受信部、３９  参照情報生成部、４１  参照情報送信部、５１  参照情報取得部、５３  リアルタイム表示部、５５  参照情報表示部、５７  参照識別情報表示部、５９  ページ単位表示部、６１  再現部、６３  発表モード切換指示部、６５  参加モード切換指示部、６７  発表モード切換指示受付部、６９  参加モード切換指示受付部、７１  装置モード切換部、７３  状態モード切換部、３２１  会議情報登録部、３２１  会議情報登録、３２１  会議情報登録部、３２３  参加申請受付部、３２５  発表データ送信部、３２７  参加装置管理部、３２９  参照情報受信部、３３１  参照情報送信部、３３３  発表装置管理部、３３５  表示指示受信部、３３７  表示指示送信部、３３９  発表モード切換指示受信部、３４１  発表モード切換指示送信部、３４３  参加モード切換指示受信部、３４５  参加モード切換指示送信部、３５５  表示指示受信部。
【図１】
2016200868.tif 000003
【図２】
2016200868.tif 000004
【図３】
2016200868.tif 000005
【図４】
2016200868.tif 000006
【図５】
2016200868.tif 000007
【図６】
2016200868.tif 000008
【図７】
2016200868.tif 000009
【図８】
2016200868.tif 000010
【図９】
2016200868.tif 000011
【図１０】
2016200868.tif 000012
【図１１】
2016200868.tif 000013
【図１２】
2016200868.tif 000014
【図１３】
2016200868.tif 000015
【図１４】
2016200868.tif 000016
【図１５】
2016200868.tif 000017
【図１６】
2016200868.tif 000018
【図１７】
2016200868.tif 000019
【図１８】
2016200868.tif 000020